(57)【要約】ランダムアクセス方法、装置及び通信システムを提供する。該方法は、ネットワーク装置が第１時間周波数リソースで、第１ユーザ装置により送信された第１プリアンブル（ｐｒｅａｍｂｌｅ）を受信するステップと、該ネットワーク装置が該第１  ｐｒｅａｍｂｌｅに基づいて、第２メッセージ（ｍｓｇ．２）を送信するための第１キャリア帯域幅（ＤＬ  ＢＷＰ）を決定するステップと、該ネットワーク装置が該第１  ＤＬ  ＢＷＰで該ｍｓｇ．２Ａを送信するステップと、を含む。この方法によれば、基地局は、受信されたユーザ装置により送信されたランダムアクセス要求により用いられた時間周波数リソース、及び／又はｐｒｅａｍｂｌｅ、及び／又はランダムアクセス要求により搬送された指示情報に基づいて、ＲＡＲをフィードバックするためのＤＬ  ＢＷＰを決定することができ、ユーザ装置の正常アクセスを確保することができる。【選択図】図３
2021503744.tif 000002
【特許請求の範囲】
【請求項１】
ネットワーク装置に構成されたランダムアクセス装置であって、
第１時間周波数リソースで、第１ユーザ装置により送信された第１プリアンブル（ｐｒｅａｍｂｌｅ）を受信する受信部と、
前記第１  ｐｒｅａｍｂｌｅに基づいて、第２メッセージ（ｍｓｇ．２Ａ）を送信するための第１キャリア帯域幅（ＤＬ  ＢＷＰ）を決定する決定部と、
前記第１  ＤＬ  ＢＷＰで前記ｍｓｇ．２Ａを送信する送信部と、を含む、装置。
【請求項２】
第１  ＤＬ  ＢＷＰ及び第１  ＤＬ  ＢＷＰに対応する少なくとも１つのｐｒｅａｍｂｌｅを指示する第１指示部であって、前記第１  ｐｒｅａｍｂｌｅは、前記第１指示部により指示された第１  ＤＬ  ＢＷＰに対応する前記少なくとも１つのｐｒｅａｍｂｌｅに属する、第１指示部、をさらに含み、
前記決定部は、前記第１指示部の指示及び前記第１  ｐｒｅａｍｂｌｅに基づいて前記第１  ＤＬ  ＢＷＰを決定する、請求項１に記載の装置。
【請求項３】
前記第１指示部は、第２  ＤＬ  ＢＷＰ及び第２  ＤＬ  ＢＷＰに対応する少なくとも１つのｐｒｅａｍｂｌｅをさらに指示し、
前記受信部は、第２ユーザ装置により送信された第２  ｐｒｅａｍｂｌｅをさらに受信し、前記第２  ｐｒｅａｍｂｌｅは、前記第１指示部により指示された第２  ＤＬ  ＢＷＰに対応する少なくとも１つのｐｒｅａｍｂｌｅに属し、
前記決定部は、前記第１指示部の指示及び前記第２  ｐｒｅａｍｂｌｅに基づいて、第２メッセージ（ｍｓｇ．２Ｂ）を送信するための第２  ＤＬ  ＢＷＰをさらに決定し、
前記送信部は、前記第２  ＤＬ  ＢＷＰで前記ｍｓｇ．２Ｂをさらに送信する、請求項２に記載の装置。
【請求項４】
前記第１指示部は、ブロードキャスト情報、又はシステム情報及び／若しくはＲＲＣシグナリングを介して前記指示を行う、請求項２又は３に記載の装置。
【請求項５】
第１  ＤＬ  ＢＷＰ、及び第１  ＤＬ  ＢＷＰに対応するｐｒｅａｍｂｌｅを送信するための少なくとも１つの時間周波数リソースを指示する第２指示部であって、前記第１時間周波数リソースは、前記第２指示部により指示された第１  ＤＬ  ＢＷＰに対応する前記少なくとも１つの時間周波数リソースに属する、第２指示部、をさらに含み、
前記決定部は、前記第２指示部の指示及び前記第１時間周波数リソースに基づいて前記第１  ＤＬ  ＢＷＰを決定する、請求項１又は２に記載の装置。
【請求項６】
前記第２指示部は、第２  ＤＬ  ＢＷＰ、及び第２  ＤＬ  ＢＷＰに対応するｐｒｅａｍｂｌｅを送信するための少なくとも１つの時間周波数リソースをさらに指示し、
前記受信部は、第２時間周波数リソースで、第２ユーザ装置により送信された第２  ｐｒｅａｍｂｌｅをさらに受信し、前記第２時間周波数リソースは、前記第２指示部により指示された第２  ＤＬ  ＢＷＰに対応するｐｒｅａｍｂｌｅを送信するための少なくとも１つの時間周波数リソースに属し、
前記決定部は、前記第２指示部の指示及び前記第２時間周波数リソースに基づいて、第２メッセージ（ｍｓｇ．２Ｂ）を送信するための第２  ＤＬ  ＢＷＰをさらに決定し、
前記送信部は、前記第２  ＤＬ  ＢＷＰで前記ｍｓｇ．２Ｂをさらに送信する、請求項５に記載の装置。
【請求項７】
前記第２指示部は、ブロードキャスト情報、又はシステム情報及び／若しくはＲＲＣシグナリングを介して前記指示を行う、請求項５又は６に記載の装置。
【請求項８】
前記第１ユーザ装置と前記第２ユーザ装置は、異なり、或いは同一である、請求項３又は６に記載の装置。
【請求項９】
カバレッジ内のユーザ装置が競合ベースのランダムアクセスを開始するようにトリガし、ｍｓｇ．２を送信するためのＤＬ  ＢＷＰを前記ユーザ装置に指示するトリガ部、をさらに含む、請求項１に記載の装置。
【請求項１０】
前記受信部は、前記第１ユーザ装置により送信された第３メッセージ（ｍｓｇ．３Ａ）をさらに受信し、前記ｍｓｇ．３Ａは、前記第１ユーザ装置の識別子を含み、
前記送信部は、前記第１ユーザ装置の識別子に基づいて前記第１ユーザ装置に第４メッセージ（ｍｓｇ．４Ａ）をさらに送信する、請求項１に記載の装置。
【請求項１１】
前記送信部は、前記ｍｓｇ．２Ａを送信するためのＤＬ  ＢＷＰを介して、前記ｍｓｇ．４Ａを送信し、或いは、
前記送信部は、前記第１ユーザ装置が競合ベースのランダムアクセスを開始する前にアクティブ化されたＤＬ  ＢＷＰを介して、前記ｍｓｇ．４Ａを送信し、或いは、
前記送信部は、前記第１ユーザ装置のために構成されたデフォルトのＤＬ  ＢＷＰを介して、前記ｍｓｇ．４Ａを送信し、或いは、
前記送信部は、前記第１ユーザ装置が競合ベースのランダムアクセスを開始する前にアクティブ化されたＤＬ  ＢＷＰがタイムアウトしていない場合、前記アクティブ化されたＤＬ  ＢＷＰを介して、前記ｍｓｇ．４Ａを送信し、或いは、
前記送信部は、前記第１ユーザ装置が競合ベースのランダムアクセスを開始する前にアクティブ化されたＤＬ  ＢＷＰがタイムアウトした場合、前記第１ユーザ装置のために構成されたデフォルトのＤＬ  ＢＷＰを介して、前記ｍｓｇ．４Ａを送信する、請求項１０に記載の装置。
【請求項１２】
ユーザ装置に構成されたランダムアクセス装置であって、
ｍｓｇ．２を受信するためのＤＬ  ＢＷＰを決定する決定部と、
前記ＤＬ  ＢＷＰに対応するｐｒｅａｍｂｌｅを送信するための少なくとも１つの時間周波数リソースから第１時間周波数リソースを選択し、前記ＤＬ  ＢＷＰに対応する少なくとも１つのｐｒｅａｍｂｌｅから第１  ｐｒｅａｍｂｌｅを選択し、選択された第１時間周波数リソースで第１  ｐｒｅａｍｂｌｅを送信する送信部と、
前記ＤＬ  ＢＷＰで前記ｍｓｇ．２を監視して受信する受信部と、を含む、装置。
【請求項１３】
前記受信部は、ネットワーク装置により指示された第１  ＤＬ  ＢＷＰ、及び第１  ＤＬ  ＢＷＰに対応するｐｒｅａｍｂｌｅを送信するための少なくとも１つの時間周波数リソース、並びに／又は、第２  ＤＬ  ＢＷＰ、及び第２  ＤＬ  ＢＷＰに対応するｐｒｅａｍｂｌｅを送信するための少なくとも１つの時間周波数リソースをさらに受信する、請求項１２に記載の装置。
【請求項１４】
前記決定部は、前記ネットワーク装置により指示された第１  ＤＬ  ＢＷＰ、及び第１  ＤＬ  ＢＷＰに対応するｐｒｅａｍｂｌｅを送信するための少なくとも１つの時間周波数リソース、並びに／又は、第２  ＤＬ  ＢＷＰ、及び第２  ＤＬ  ＢＷＰに対応するｐｒｅａｍｂｌｅを送信するための少なくとも１つの時間周波数リソースに基づいて、ｍｓｇ．２を受信するためのＤＬ  ＢＷＰを決定する、請求項１３に記載の装置。
【請求項１５】
前記受信部は、ネットワーク装置により指示された第１  ＤＬ  ＢＷＰ、及び第１  ＤＬ  ＢＷＰに対応する少なくとも１つのｐｒｅａｍｂｌｅ、並びに／又は、第２  ＤＬ  ＢＷＰ、及び第２  ＤＬ  ＢＷＰに対応する少なくとも１つのｐｒｅａｍｂｌｅをさらに受信する、請求項１２乃至１４の何れかに記載の装置。
【請求項１６】
前記決定部は、ネットワーク装置により指示された第１  ＤＬ  ＢＷＰ、及び第１  ＤＬ  ＢＷＰに対応する少なくとも１つのｐｒｅａｍｂｌｅ、並びに／又は、第２  ＤＬ  ＢＷＰ、及び第２  ＤＬ  ＢＷＰに対応する少なくとも１つのｐｒｅａｍｂｌｅに基づいて、ｍｓｇ．２を受信するためのＤＬ  ＢＷＰを決定する、請求項１５に記載の装置。
【請求項１７】
前記受信部は、ネットワーク装置により指示されたｍｓｇ．２を送信するためのＤＬ  ＢＷＰをさらに受信する、請求項１２に記載の装置。
【請求項１８】
前記決定部は、前記ユーザ装置が競合ベースのランダムアクセスを行うようにトリガする際に前記ネットワーク装置により指示された、ｍｓｇ．２を送信するためのＤＬ  ＢＷＰに基づいて、ｍｓｇ．２を受信するためのＤＬ  ＢＷＰを決定する、請求項１７に記載の装置。
【請求項１９】
決定された前記ＤＬ  ＢＷＰにおけるｍｓｇ．２を送信するためのＣＯＲＥＳＥＴ構成が現在アクティブ化されたＤＬ  ＢＷＰにおけるｍｓｇ．２を送信するためのＣＯＲＥＳＥＴ構成と同一である場合、前記受信部は、現在アクティブ化されたＤＬ  ＢＷＰで前記ｍｓｇ．２を監視して受信し、或いは、
前記受信部は、決定された前記ＤＬ  ＢＷＰに切り替え、決定された前記ＤＬ  ＢＷＰで前記ｍｓｇ．２を監視して受信し、或いは、
アクティブ化されたＤＬ  ＢＷＰが最大数に達していない場合、前記受信部は、決定された前記ＤＬ  ＢＷＰをアクティブ化し、決定された前記ＤＬ  ＢＷＰで前記ｍｓｇ．２を監視して受信し、或いは、
前記受信部は、そのうち１つのアクティブ化されたＤＬ  ＢＷＰを決定された前記ＤＬ  ＢＷＰに切り替え、決定された前記ＤＬ  ＢＷＰで前記ｍｓｇ．２を監視して受信する、請求項１２に記載の装置。
【請求項２０】
ネットワーク装置と、ユーザ装置と、を含む通信システムであって、
前記ネットワーク装置は、請求項１乃至１１の何れかに記載の装置を含み、
前記ユーザ装置は、請求項１２乃至１９の何れかに記載の装置を含む、通信システム。
【発明の詳細な説明】
【技術分野】
【０００１】
本発明は、通信分野に関し、特にランダムアクセス方法、装置及び通信システムに関する。
【背景技術】
【０００２】
ランダムアクセス手順は、非競合のランダムアクセス及び競合ベースのランダムアクセスを含む。非競合ベースのランダムアクセス手順では、ユーザ装置（Ｕｓｅｒ  Ｅｑｕｉｐｍｅｎｔ：ＵＥ）は、ネットワーク側（例えば基地局）により指定されたランダムアクセスプリアンブル（ｐｒｅａｍｂｌｅ）及び物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）を用いてランダムアクセスを行う。競合ベースのランダムアクセス手順では、ＵＥは、ｐｒｅａｍｂｌｅ及びＰＲＡＣＨを選択してランダムアクセスを行うことができる。
【０００３】
急増しているトラフィック量及び増え続けている新しいトラフィックをサポートするために、世界中の研究機関や標準化団体が第５世代（５Ｇ）無線通信システムの研究を始めている。その中で、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）は、研究プロセスにおいて、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）、拡張モバイルブロードバンド（ｅＭＢＢ：ｅｎｈａｎｃｅｄ  Ｍｏｂｉｌｅ  Ｂｒｏａｄｂａｎｄ）及び高信頼性低遅延通信（ｕＲＬＬＣ：ｕｌｔｒａ−Ｒｅｌｉａｂｌｅ  Ｌｏｗ  Ｌａｔｅｎｃｙ  Ｃｏｍｍｕｎｉｃａｔｉｏｎ）などの様々な応用シナリオを定義している。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
本発明の発明者の発見により、新無線（ＮＲ：Ｎｅｗ  Ｒａｄｉｏ）システムでは、キャリア帯域幅（ｂａｎｄｗｉｄｔｈ  ｐａｒｔ：ＢＷＰ）の概念が導入され、１つのＤＬ（ダウンリンク）／ＵＬ（アップリンク）帯域幅には複数のＢＷＰが含まれる。各ＵＥは１つ又は複数のＤＬ／ＵＬ  ＢＷＰが構成され、構成されたＤＬ  ／  ＵＬ  ＢＷＰの１つを用いてアップリンクデータ及びダウンリンクデータを同時に受信／送信してもよい。基地局は、無線リソース制御（Ｒａｄｉｏ  Ｒｅｓｏｕｒｃｅ  Ｃｏｎｔｒｏｌ：ＲＲＣ）シグナリングを介してＵＥに各ＤＬ／ＵＬ  ＢＷＰの開始ＰＲＢ  ｉｎｄｅｘ（開始ＰＲＢからダウンリンク帯域幅における１番目のＰＲＢまでのオフセット値とも称される）、サブキャリア間隔、物理リソースブロック（Ｐｈｙｓｉｃａｌ  Ｒｅｓｏｕｒｃｅ  Ｂｌｏｃｋ：ＰＲＢ）数（又は帯域幅）、サイクリックプレフィックス（Ｃｙｃｌｉｃ  Ｐｒｅｆｉｘ：ＣＰ）の長さなどの情報を通知する。異なるＵＥのＤＬ／ＵＬ  ＢＷＰ構成は異なる場合がある。このシナリオでは、ＵＥが競合ベースのランダムアクセスを行うと、基地局は、受信されたメッセージ１（ｍｓｇ．１）に基づいてＵＥを一意に決定できないため、ランダムアクセス応答（Ｒａｎｄｏｍ  Ａｃｃｅｓｓ  Ｒｅｓｐｏｎｓｅ：ＲＡＲ）を送信するために用いられるＤＬ  ＢＷＰを決定できなく、ランダムアクセスを正常に行うことができない。
【０００６】
上記の問題の少なくとも１つを解決するために、本発明の実施例は、ランダムアクセス方法、装置及び通信システムを提供する。
【課題を解決するための手段】
【０００７】
本発明の実施例の第１態様では、ランダムアクセス方法であって、ネットワーク装置が第１時間周波数リソースで、第１ユーザ装置により送信された第１プリアンブル（ｐｒｅａｍｂｌｅ）を受信するステップと、前記ネットワーク装置が、前記ｐｒｅａｍｂｌｅに基づいて、第２メッセージ（ｍｓｇ．２Ａ）を送信するための第１キャリア帯域幅（ＤＬ  ＢＷＰ）を決定するステップと、前記ネットワーク装置が前記第１  ＤＬ  ＢＷＰで前記ｍｓｇ．２Ａを送信するステップと、を含む、方法を提供する。
【０００８】
本発明の実施例の第２態様では、ランダムアクセス方法であって、ユーザ装置が第１時間周波数リソースで第１  ｐｒｅａｍｂｌｅを送信するステップと、前記ユーザ装置が前記第１  ｐｒｅａｍｂｌｅに基づいて、ｍｓｇ．２を受信するためのＤＬ  ＢＷＰを決定するステップと、前記ユーザ装置が前記ＤＬ  ＢＷＰで前記ｍｓｇ．２を監視して受信するステップと、を含む、方法を提供する。
【０００９】
本発明の実施例の第３態様では、ネットワーク装置に構成されたランダムアクセス装置であって、第１時間周波数リソースで、第１ユーザ装置により送信された第１プリアンブル（ｐｒｅａｍｂｌｅ）を受信する受信部と、前記ｐｒｅａｍｂｌｅに基づいて、第２メッセージ（ｍｓｇ．２Ａ）を送信するための第１キャリア帯域幅（ＤＬ  ＢＷＰ）を決定する決定部と、前記第１  ＤＬ  ＢＷＰで前記ｍｓｇ．２Ａを送信する送信部と、を含む、装置を提供する。
【００１０】
本発明の実施例の第４態様では、ユーザ装置に構成されたランダムアクセス装置であって、第１時間周波数リソースで第１  ｐｒｅａｍｂｌｅを送信する送信部と、前記第１  ｐｒｅａｍｂｌｅに基づいて、ｍｓｇ．２を受信するためのＤＬ  ＢＷＰを決定する決定部と、前記ＤＬ  ＢＷＰで前記ｍｓｇ．２を監視して受信する受信部と、を含む、装置を提供する。
【００１１】
本発明の実施例の第５態様では、上記の第３態様に記載の装置を含む、ネットワーク装置を提供する。
【００１２】
本発明の実施例の第６態様では、上記の第４態様に記載の装置を含む、ユーザ装置を提供する。
【００１３】
本発明の実施例の第７態様では、上記の第６態様に記載のユーザ装置と、上記の第５態様に記載のネットワーク装置と、を含む、通信システムを提供する。
【００１４】
本発明の実施例の他の態様では、コンピュータ読み取り可能なプログラムであって、ネットワーク装置において前記プログラムを実行する際に、コンピュータに前記ネットワーク装置において上記の第１態様に記載の方法を実行させる、プログラムを提供する。
【００１５】
本発明の実施例の他の態様では、コンピュータ読み取り可能なプログラムが記憶されている記憶媒体であって、前記プログラムを実行する際に、コンピュータにネットワーク装置において上記の第１態様に記載の方法を実行させる、記憶媒体を提供する。
【００１６】
本発明の実施例の他の態様では、コンピュータ読み取り可能なプログラムであって、ユーザ装置において前記プログラムを実行する際に、コンピュータに前記ユーザ装置において上記の第２態様に記載の方法を実行させる、プログラムを提供する。
【００１７】
本発明の実施例の他の態様では、コンピュータ読み取り可能なプログラムが記憶されている記憶媒体であって、前記プログラムを実行する際に、コンピュータにユーザ装置において上記の第２態様に記載の方法を実行させる、記憶媒体を提供する。
【００１８】
本発明の実施例の有利な効果としては、基地局は、受信されたユーザ装置により送信されたｐｒｅａｍｂｌｅ及び／又はランダムアクセス要求（ｍｓｇ．１）により搬送された指示情報に基づいて、ランダムアクセス応答（ｍｓｇ．２）をフィードバックするためのＤＬ  ＢＷＰを決定することができ、ユーザ装置の正常アクセスを確保することができる。
【００１９】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２０】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２１】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００２２】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００２３】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の実施例の通信システムの概略図である。
【図２】本発明の実施例のランダムアクセス方法のインタラクションの概略図である。
【図３】実施例１のランダムアクセス方法の概略図である。
【図４】ＰＲＡＣＨリソースを集合に分類することの１つの態様の概略図である。
【図５】ＰＲＡＣＨリソースを集合に分類することのもう１つの態様の概略図である。
【図６】ＰＲＡＣＨリソースを集合に分類することのもう１つの態様の概略図である。
【図７】ＰＲＡＣＨリソースを集合に分類することのもう１つの態様の概略図である。
【図８】ｐｒｅａｍｂｌｅを集合に分類することの１つの態様の概略図である。
【図９】ＰＲＡＣＨリソース及びｐｒｅａｍｂｌｅを集合に分類することの１つの態様の概略図である。
【図１０】実施例２のランダムアクセス方法の概略図である。
【図１１】実施例３のランダムアクセス装置の概略図である。
【図１２】実施例４のランダムアクセス装置の概略図である。
【図１３】実施例５のネットワーク装置の概略図である。
【図１４】実施例６のユーザ装置の概略図である。
【発明を実施するための形態】
【００２４】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２５】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２６】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２７】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２８】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２９】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００３０】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００３１】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。ユーザ装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３２】
そのうち、ユーザ装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３３】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３４】
以下は、一例を参照しながら本発明の実施例のシナリオを説明するが、本発明はこれに限定されない。
【００３５】
図１は、本発明の実施例の通信システムの概略図であり、ユーザ装置及びネットワーク装置の例を概略的に示している。図１に示すように、通信システム１００は、ネットワーク装置１０１及びユーザ装置１０２を含んでもよい。説明の便宜上、図１は、１つのユーザ装置のみを一例にして説明する。ネットワーク装置１０１は、例えばＮＲのネットワーク装置ｇＮＢである。
【００３６】
本発明の実施例では、ネットワーク装置１０１とユーザ装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）及び高信頼性低遅延通信（ＵＲＬＬＣ：Ｕｌｔｒａ−Ｒｅｌｉａｂｌｅ  Ｌｏｗ−Ｌａｔｅｎｃｙ  Ｃｏｍｍｕｎｉｃａｔｉｏｎ）などを含むが、これらに限定されない。
【００３７】
ここで、ユーザ装置１０２は、例えばグラントフリー（Ｇｒａｎｔ−Ｆｒｅｅ）の伝送方式を用いてネットワーク装置１０１にデータを送信してもよい。ネットワーク装置１０１は、１つ又は複数のユーザ装置１０２により送信されたデータを受信し、ユーザ装置１０２に情報（例えば肯定応答（ＡＣＫ）／非肯定応答（ＮＡＣＫ））をフィードバックしてもよく、ユーザ装置１０２は、フィードバック情報に基づいて伝送プロセスの終了を確認してもよいし、新しいデータ伝送又はデータ再送を行ってもよい。
【００３８】
図２は、本発明の実施例のランダムアクセス方法のインタラクションの概略図であり、ＵＥ及びｇＮＢの例を概略的に示している。図２に示すように、ステップ２０１において、ｇＮＢは、ＵＥが競合ベースのランダムアクセスを開始するようにトリガすることができる。なお、ステップ２０１はオプションであり、ＵＥは、競合ベースのランダムアクセス手順を自律的に開始してもよい。ステップ２０２において、ｇＮＢは、ＵＥのために各種の構成又は各種の指示を行ってもよい。本実施例は、ステップ２０１及びステップ２０２の実行順序に限定されない。ステップ２０３において、ＵＥは、ｇＮＢにｍｓｇ．１、即ちランダムアクセス要求を送信し、ｍｓｇ．１はデータ情報を搬送してもよい。ステップ２０４において、ｇＮＢは、ｍｓｇ．１を送信するために構成された時間周波数リソースでｍｓｇ．１を受信し、該ｍｓｇ．１に基づいて、ＲＡＲをフィードバックするためのＤＬ  ＢＷＰを決定し、ＵＥにｍｓｇ．２、即ちランダムアクセス応答（ＲＡＲ）を送信し、該ＲＡＲは、ｍｓｇ．３を送信するようにＵＥをスケジューリングするためのスケジューリング情報を含む。ステップ２０５において、ＵＥは、ＲＡＲを監視して受信し、受信されたＲＡＲに含まれるスケジューリング情報に基づいてｇＮＢにｍｓｇ．３を送信し、該ｍｓｇ．３は該ＵＥの識別子を含む。ステップ２０６において、ｇＮＢは、ｍｓｇ．３をスケジューリングするためのスケジューリング位置でｍｓｇ．３を受信し、該ｍｓｇ．３に含まれるＵＥの識別子に基づいてＵＥを一意に決定し、決定されたＵＥにｍｓｇ．４を送信する。
【００３９】
以下は図面を参照しながら本発明の各実施形態を説明する。これらの実施形態は単なる一例であり、本発明を限定するものではない。
【００４０】
＜実施例１＞
本実施例はランダムアクセス方法を提供し、該方法はネットワーク装置、例えばｇＮＢ（ＮＲにおける基地局）などに適用される。図３は該方法の概略図であり、図３に示すように、該方法は以下のステップを含む。
【００４１】
ステップ３０１：ネットワーク装置は、第１時間周波数リソースで、第１ユーザ装置により送信された第１プリアンブル（ｐｒｅａｍｂｌｅ）を受信する。
【００４２】
ステップ３０２：該ネットワーク装置は、該第１  ｐｒｅａｍｂｌｅに基づいて、第２メッセージ（ｍｓｇ．２Ａ）を送信するための第１キャリア帯域幅（ＤＬ  ＢＷＰ）を決定する。
【００４３】
ステップ３０３：該ネットワーク装置は、該第１  ＤＬ  ＢＷＰで該ｍｓｇ．２Ａを送信する。
【００４４】
本実施例では、ＵＥは、１つの時間周波数リソースで１つのｐｒｅａｍｂｌｅをランダムアクセス要求として送信し、それはｍｓｇ．１とも称される。ネットワーク装置は、対応する時間周波数リソースでｐｒｅａｍｂｌｅを検出した場合、ＵＥがランダムアクセスを開始したことを知り、ＵＥにランダムアクセス応答（ＲＡＲ）をフィードバックし、それはｍｓｇ．２とも称される。
【００４５】
本実施例では、該ｐｒｅａｍｂｌｅを送信するために用いられる時間周波数リソースはＰＲＡＣＨリソースであってもよいが、本実施例はこれに限定されず、該ｐｒｅａｍｂｌｅを送信するために用いられる時間周波数リソースは、他の名称を有してもよいし、他のリソースなどであってもよい。
【００４６】
本実施例では、ネットワーク装置は、受信された該第１ｐｒｅａｍｂｌｅにより用いられる時間周波数リソース及び／又は該第１ｐｒｅａｍｂｌｅに基づいて、ｍｓｇ．２（ｍｓｇ．２Ａと称される）を送信するためのＤＬ  ＢＷＰ（第１ＤＬ  ＢＷＰと称される）を決定して該ｍｓｇ．２を送信してもよい。これによって、ＵＥの正常アクセスを確保した。
【００４７】
１つの態様では、ネットワーク装置は、第１  ＤＬ  ＢＷＰ及び第１  ＤＬ  ＢＷＰに対応する少なくとも１つのｐｒｅａｍｂｌｅを指示してもよい。例えば、ネットワーク装置は、第１  ＤＬ  ＢＷＰに対応する少なくとも１つのｐｒｅａｍｂｌｅを指示するように、第１ＤＬ  ＢＷＰと少なくとも１つのｐｒｅａｍｂｌｅとの対応関係を構成してもよく、ネットワーク装置は、該指示及び受信されたｐｒｅａｍｂｌｅ（該第１  ｐｒｅａｍｂｌｅ）に基づいて、ｍｓｇ．２を送信するためのＤＬ  ＢＷＰを決定する。例えば、受信された該第１  ｐｒｅａｍｂｌｅが指示された第１  ＤＬ  ＢＷＰに対応する少なくとも１つのｐｒｅａｍｂｌｅに属する場合、ｍｓｇ．２を送信するためのＤＬ  ＢＷＰが該第１  ＤＬ  ＢＷＰであると決定してもよい。
【００４８】
この態様では、ネットワーク装置は、第２  ＤＬ  ＢＷＰ及び第２  ＤＬ  ＢＷＰに対応する少なくとも１つのｐｒｅａｍｂｌｅをさらに指示してもよい。ネットワーク装置が第２ユーザ装置により送信された第２  ｐｒｅａｍｂｌｅを受信し、該第２  ｐｒｅａｍｂｌｅが第２  ＤＬ  ＢＷＰに対応する少なくとも１つのｐｒｅａｍｂｌｅに属する場合、ネットワーク装置は、ｍｓｇ．２を送信するためのＤＬ  ＢＷＰが該第２  ＤＬ  ＢＷＰであると決定し、該第２  ＤＬ  ＢＷＰで該ｍｓｇ．２を送信する。
【００４９】
以上のように、この態様では、ネットワーク装置は、受信されたｐｒｅａｍｂｌｅ及び上記指示に基づいて、ｍｓｇ．２を送信するためのＤＬ  ＢＷＰを決定してもよい。例えば、受信されたｐｒｅａｍｂｌｅ（例えば第１  ｐｒｅａｍｂｌｅ）が第１  ＤＬ  ＢＷＰに対応する少なくとも１つのｐｒｅａｍｂｌｅに属する場合、ネットワーク装置は、ｍｓｇ．２を送信するためのＤＬ  ＢＷＰが第１  ＤＬ  ＢＷＰであると決定し、受信されたｐｒｅａｍｂｌｅ（例えば第２  ｐｒｅａｍｂｌｅ）が第２  ＤＬ  ＢＷＰに対応する少なくとも１つのｐｒｅａｍｂｌｅに属する場合、ネットワーク装置は、ｍｓｇ．２を送信するためのＤＬ  ＢＷＰが第２  ＤＬ  ＢＷＰであると決定する。これによって、ネットワーク装置は、受信されたｐｒｅａｍｂｌｅに基づいて、ｍｓｇ．２を送信するためのＤＬ  ＢＷＰを決定することができる。
【００５０】
もう１つの態様では、ネットワーク装置は、第１  ＤＬ  ＢＷＰ、及び第１  ＤＬ  ＢＷＰに対応するｐｒｅａｍｂｌｅ送信のための少なくとも１つの時間周波数リソースを指示してもよい。例えば、ネットワーク装置は、第１  ＤＬ  ＢＷＰに対応するｐｒｅａｍｂｌｅ送信のための少なくとも１つの時間周波数リソースを指示するように、第１  ＤＬ  ＢＷＰとｐｒｅａｍｂｌｅ送信のための少なくとも１つの時間周波数リソースとの対応関係を構成してもよい。ネットワーク装置は、該指示、及び上記のｐｒｅａｍｂｌｅ（上記の第１  ｐｒｅａｍｂｌｅ）を送信するための時間周波数リソース（上記の第１時間周波数リソース）に基づいて、ｍｓｇ．２を送信するためのＤＬ  ＢＷＰを決定してもよい。例えば、該第１時間周波数リソースが指示された第１  ＤＬ  ＢＷＰに対応するｐｒｅａｍｂｌｅ送信のための少なくとも１つの時間周波数リソースに属する場合、ｍｓｇ．２を送信するためのＤＬ  ＢＷＰが該第１  ＤＬ  ＢＷＰであると決定してもよい。
【００５１】
この態様では、ネットワーク装置は、第２  ＤＬ  ＢＷＰ、及び第２  ＤＬ  ＢＷＰに対応するｐｒｅａｍｂｌｅ送信のための少なくとも１つの時間周波数リソースをさらに指示してもよい。ネットワーク装置が第２ユーザ装置により送信された第２  ｐｒｅａｍｂｌｅを受信した後に、該第２  ｐｒｅａｍｂｌｅを送信するための時間周波数リソース（例えば第２時間周波数リソース）が第２  ＤＬ  ＢＷＰに対応するｐｒｅａｍｂｌｅ送信のための少なくとも１つの時間周波数リソースに属する場合、ネットワーク装置は、ｍｓｇ．２を送信するためのＤＬ  ＢＷＰが該第２  ＤＬ  ＢＷＰであると決定し、該第２  ＤＬ  ＢＷＰで該ｍｓｇ．２を送信する。
【００５２】
以上のように、この態様では、ネットワーク装置は、ｐｒｅａｍｂｌｅを受信するための時間周波数リソース及び上記指示に基づいて、ｍｓｇ．２を送信するためのＤＬ  ＢＷＰを決定してもよい。例えば、ｐｒｅａｍｂｌｅを受信するための時間周波数リソース（例えば第１時間周波数リソース）が第１  ＤＬ  ＢＷＰに対応するｐｒｅａｍｂｌｅを送信のための少なくとも１つの時間周波数リソースに属する場合、ネットワーク装置は、ｍｓｇ．２を送信するためのＤＬ  ＢＷＰが第１  ＤＬ  ＢＷＰであると決定し、ｐｒｅａｍｂｌｅを受信するための時間周波数リソース（例えば第２時間周波数リソース）が第２  ＤＬ  ＢＷＰに対応するｐｒｅａｍｂｌｅ送信のための少なくとも１つの時間周波数リソースに属する場合、ネットワーク装置は、ｍｓｇ．２を送信するためのＤＬ  ＢＷＰが第２  ＤＬ  ＢＷＰであると決定する。これによって、ネットワーク装置は、ｐｒｅａｍｂｌｅを受信するための時間周波数リソースに基づいて、ｍｓｇ．２を送信するためのＤＬ  ＢＷＰを決定することができる。
【００５３】
上記２つの態様では、上記第１ユーザ装置と上記第２ユーザ装置は、同一であってもよいし、異なってもよい。言い換えれば、同一のユーザ装置は、同一又は異なる時間周波数リソースを用いて異なるｐｒｅａｍｂｌｅを送信してもよい。
【００５４】
上記２つの態様では、「異なるＤＬ  ＢＷＰに対応する少なくとも１つのｐｒｅａｍｂｌｅ」及び「異なるＤＬ  ＢＷＰに対応するｐｒｅａｍｂｌｅ送信のための少なくとも１つの時間周波数リソース」をそれぞれ説明しているが、具体的な実施において、上記２つの態様を組み合わせてもよい。例えば、ネットワーク装置は、「異なるＤＬ  ＢＷＰに対応する少なくとも１つのｐｒｅａｍｂｌｅ」及び「異なるＤＬ  ＢＷＰに対応するｐｒｅａｍｂｌｅ送信のための少なくとも１つの時間周波数リソース」を同時に指示し、ネットワーク装置は、ｐｒｅａｍｂｌｅを受信した後に、該ｐｒｅａｍｂｌｅ及び該ｐｒｅａｍｂｌｅを送信するための時間周波数リソース、並びに該指示に基づいて、ｍｓｇ．２を送信するためのＤＬ  ＢＷＰを決定してもよい。
【００５５】
本実施例では、ネットワーク装置は、ｍｓｇ．２を送信するための複数のＤＬ  ＢＷＰを構成してもよく、ｍｓｇ．２を送信するための各ＤＬ  ＢＷＰは、１つのｐｒｅａｍｂｌｅ集合及び／又は１つの時間周波数リソース集合に対応してもよい。
【００５６】
以下は、ＤＬ  ＢＷＰと時間周波数リソース集合との対応関係を説明する。
【００５７】
本実施例の１つの態様では、該ｐｒｅａｍｂｌｅ送信のため時間周波数リソースがＰＲＡＣＨリソースであることを一例にして、該ｐｒｅａｍｂｌｅ送信のための全てのＰＲＡＣＨリソースを１つ以上の集合に分類してもよく、１つの集合のＰＲＡＣＨリソースはｍｓｇ．２を送信可能な１つのＤＬ  ＢＷＰに対応する。これによって、ネットワーク装置は、ｐｒｅａｍｂｌｅを受信した後に、該指示及び該ｐｒｅａｍｂｌｅにより用いられるＰＲＡＣＨリソースに基づいて、ｍｓｇ．２を送信するためのＤＬ  ＢＷＰを決定することができる。
【００５８】
例えば、ＰＲＡＣＨリソースの時間領域位置及び／又は周波数領域位置に基づいて全てのＰＲＡＣＨリソースを分類してもよく、例えば、同一の時間領域位置を有するＰＲＡＣＨリソースを１つの集合に分類してもよいし、同一の周波数領域位置を有するＰＲＡＣＨリソースを１つの集合に分類してもよいし、同一の時間領域位置を有するＰＲＡＣＨリソースを複数の集合に分類してもよいし、同一の周波数領域位置を有するＰＲＡＣＨリソースを複数の集合に分類してもよい。本実施例は、ＰＲＡＣＨリソース集合の分類方法に限定されない。
【００５９】
図４及び図５は、全てのＰＲＡＣＨリソースが１つのＵＬ  ＢＷＰに構成される場合のＰＲＡＣＨリソースの分類状況、及び異なるＰＲＡＣＨリソース集合とＲＡＲを送信するためのＤＬ  ＢＷＰとの対応関係をそれぞれ示し、図４及び図５の例では、全てのＰＲＡＣＨリソースが初期アクセスのための初期アップリンクＢＷＰ（ｉｎｉｔｉａｌ  ａｃｔｉｖｅ  ＵＬ  ＢＷＰ）に構成されることを一例にする。図４に示すように、ＰＲＡＣＨリソースの時間領域位置に基づいて、８つのＰＲＡＣＨリソースは、ＤＬ  ＢＷＰ  ０〜ＤＬ  ＢＷＰ  ３にそれぞれ対応する４つの集合に分類されている。図５に示すように、ＰＲＡＣＨリソースの時間領域位置及び周波数領域位置に基づいて、８つのＰＲＡＣＨリソースは、ＤＬ  ＢＷＰ  ０〜ＤＬ  ＢＷＰ  ３にそれぞれ対応する４つの集合に分類されている。
【００６０】
図６及び図７は、全てのＰＲＡＣＨリソースが複数のＵＬ  ＢＷＰに構成される場合のＰＲＡＣＨリソースの分類状況、及び異なるＰＲＡＣＨリソース集合とＲＡＲを送信するためのＤＬ  ＢＷＰとの対応関係をそれぞれ示し、図６及び図７の例では、全てのＰＲＡＣＨリソースがＵＬ  ＢＷＰ  ０及びＵＬ  ＢＷＰ  １に構成されることを一例にする。図６に示すように、ＰＲＡＣＨリソースの周波数領域位置に基づいて、８つのＰＲＡＣＨリソースは、１つのＤＬ  ＢＷＰにそれぞれ対応する２つの集合に分類され、１つの集合のＰＲＡＣＨリソースは１つのＵＬ  ＢＷＰに構成される。図７に示すように、ＰＲＡＣＨリソースの時間領域位置及び周波数領域位置に基づいて、８つのＰＲＡＣＨリソースは、１つのＤＬ  ＢＷＰにそれぞれ対応する４つの集合に分類され、そのうちの２つの集合のＰＲＡＣＨリソースは１つのＵＬ  ＢＷＰに構成され、もう２つの集合のＰＲＡＣＨリソースはもう１つのＵＬ  ＢＷＰに構成される。
【００６１】
本実施例では、全てのＰＲＡＣＨリソースが複数のＵＬ  ＢＷＰに構成されている場合、ネットワーク装置により指示された異なるＤＬ  ＢＷＰに対応するｐｒｅａｍｂｌｅ送信のための少なくとも１つの時間周波数リソースは、ＰＲＡＣＨリソースを含むＵＬ  ＢＷＰを意味し、即ち、ネットワーク装置は、異なるＤＬ  ＢＷＰに対応するＰＲＡＣＨリソースを含む異なるＵＬ  ＢＷＰを指示してもよい。図６の例では、基地局は、ＤＬ  ＢＷＰ  ０に対応するＵＬ  ＢＷＰ  ０及びＤＬ  ＢＷＰ  １に対応するＵＬ  ＢＷＰ  １を指示してもよい。また、図７の例では、基地局は、ＤＬ  ＢＷＰ  ０及びＤＬ  ＢＷＰ  １に対応するＵＬ  ＢＷＰ  ０、並びにＤＬ  ＢＷＰ  ２及びＤＬ  ＢＷＰ  ３に対応するＵＬ  ＢＷＰ  １を指示してもよい。これによって、ネットワーク装置は、該指示、及び受信されたｐｒｅａｍｂｌｅにより用いられるＰＲＡＣＨリソースの所在するＵＬ  ＢＷＰに基づいて、ｍｓｇ．２を送信するためのＤＬ  ＢＷＰを決定することができる。例えば、ネットワーク装置により受信されたｐｒｅａｍｂｌｅにより用いられるＰＲＡＣＨリソースがＵＬ  ＢＷＰ  １に属する場合、該指示に従って、ＵＬ  ＢＷＰ  １がＤＬ  ＢＷＰ  ２に対応するため、ネットワーク装置は、ｍｓｇ．２を送信するためのＤＬ  ＢＷＰがＤＬ  ＢＷＰ  ２であると決定してもよく、ネットワーク装置は、ＤＬ  ＢＷＰ  ２でｍｓｇ．２を送信してもよい。
【００６２】
以下は、ＤＬ  ＢＷＰとｐｒｅａｍｂｌｅ集合との対応関係を説明する。
【００６３】
本実施例の１つの態様では、ｐｒｅａｍｂｌｅ送信のための全てのＰＲＡＣＨリソースは異なるＤＬ  ＢＷＰに対応する複数の集合に分類されているが、全てのｐｒｅａｍｂｌｅは異なるＤＬ  ＢＷＰに対応する複数の集合に分類されてもよい。これによって、ネットワーク装置は、ｐｒｅａｍｂｌｅを受信した後に、該ｍｓｇ．１を送信するためのｐｒｅａｍｂｌｅを参照して、ｍｓｇ．２を送信するためのＤＬ  ＢＷＰを決定してもよい。
【００６４】
図８は、ｐｒｅａｍｂｌｅの分類状況、及び異なるｐｒｅａｍｂｌｅ集合とＤＬ  ＢＷＰとの対応関係を示している。図８に示すように、ｐｒｅａｍｂｌｅ集合＃０はＤＬ  ＢＷＰ  ０に対応し、ｐｒｅａｍｂｌｅ集合＃１はＤＬ  ＢＷＰ  １に対応し、ｐｒｅａｍｂｌｅ集合＃２はＤＬ  ＢＷＰ  ２に対応し、ｐｒｅａｍｂｌｅ集合＃３はＤＬ  ＢＷＰ  ３に対応する。本実施例はｐｒｅａｍｂｌｅ集合の分類方法に限定されず、例えばルートインデックス（ｒｏｏｔ  ｉｎｄｅｘ）に基づいて分類を行ってもよいし、循環シフト（ｃｙｃｌｉｃ  ｓｈｉｆｔ）に基づいて分類を行ってもよいし、直交符号（ＯＣＣ）に基づいて分類を行ってもよい。
【００６５】
以上は、ｐｒｅａｍｂｌｅ送信のためのＰＲＡＣＨリソース及びＰＲＡＣＨリソースを含むＵＬ  ＢＷＰとＤＬ  ＢＷＰとの対応関係、並びにｐｒｅａｍｂｌｅとＤＬ  ＢＷＰとの対応関係をそれぞれ説明しているが、具体的な実施において、上記２つの対応関係を組み合わせてもよい。例えば、該ｐｒｅａｍｂｌｅを送信可能な全てのＰＲＡＣＨリソースは複数の集合に分類され、異なる集合のＰＲＡＣＨリソースは異なるＤＬ  ＢＷＰに対応すると共に、全てのｐｒｅａｍｂｌｅも複数の集合に分類され、異なる集合のｐｒｅａｍｂｌｅは異なるＤＬ  ＢＷＰに対応する。また、例えば、ｐｒｅａｍｂｌｅ送信のためのＰＲＡＣＨリソースを含むＵＬ  ＢＷＰは異なるＤＬ  ＢＷＰに対応すると共に、全てのｐｒｅａｍｂｌｅは複数の集合に分類され、異なる集合のｐｒｅａｍｂｌｅは異なるＤＬ  ＢＷＰに対応する。
【００６６】
以下は、ＤＬ  ＢＷＰとｐｒｅａｍｂｌｅ集合及びＰＲＡＣＨリソース集合との対応関係を説明する。
【００６７】
図９は、全てのＰＲＡＣＨリソースが複数のＵＬ  ＢＷＰに構成される場合のＰＲＡＣＨリソースの分類状況、ｐｒｅａｍｂｌｅの分類状況、並びに異なるｐｒｅａｍｂｌｅ集合及びＰＲＡＣＨリソース集合とＤＬ  ＢＷＰとの対応状況を示しており、図９の例では、全てのＰＲＡＣＨリソースがＵＬ  ＢＷＰ  ０及びＵＬ  ＢＷＰ  １を一例にする。図９に示すように、ＵＬ  ＢＷＰ  ０では、ｐｒｅａｍｂｌｅが２つの集合に分類され、ｐｒｅａｍｂｌｅ集合＃０及びｐｒｅａｍｂｌｅ集合＃１はＤＬ  ＢＷＰ  ０及びＤＬ  ＢＷＰ  １にそれぞれ対応し、ＵＬ  ＢＷＰ  １では、ｐｒｅａｍｂｌｅも２つの集合に分類され、ｐｒｅａｍｂｌｅ集合＃０及びｐｒｅａｍｂｌｅ集合＃１はＤＬ  ＢＷＰ  ２及びＤＬ  ＢＷＰ  ３にそれぞれ対応する。また、全てのＰＲＡＣＨリソースは２つの集合に分類され、ＵＬ  ＢＷＰ  ０に構成されたＰＲＡＣＨリソース集合はＤＬ  ＢＷＰ  ０及びＤＬ  ＢＷＰ  １に対応し、ＵＬ  ＢＷＰ  １に構成されたＰＲＡＣＨリソース集合はＤＬ  ＢＷＰ  ２及びＤＬ  ＢＷＰ  ３に対応する。これによって、ネットワーク装置は、ｐｒｅａｍｂｌｅを受信した後に、該ｐｒｅａｍｂｌｅを送信するためのＰＲＡＣＨリソースに基づいて、２つのＤＬ  ＢＷＰ、即ちＤＬ  ＢＷＰ  ０及びＤＬ  ＢＷＰ  １、又はＤＬ  ＢＷＰ  ２及びＤＬ  ＢＷＰ  ３を決定し、受信されたｐｒｅａｍｂｌｅがｐｒｅａｍｂｌｅ集合＃０に属するか、それともｐｒｅａｍｂｌｅ集合＃１に属するかに基づいて、ｍｓｇ．２を送信するためのＤＬ  ＢＷＰを最終的に決定することができる。
【００６８】
本実施例では、ネットワーク装置は、ブロードキャスト情報（ＰＢＣＨ）を介して上記指示を行ってもよいし、システム情報及び／又はＲＲＣシグナリング（例えばｇｒｏｕｐ−ｓｐｅｃｉｆｉｃ  ＲＲＣ及び／又はＵＥ−ｓｐｅｃｉｆｉｃ  ＲＲＣ）を介して上記指示を行ってもよいが、本発明はこれに限定されない。
【００６９】
ＰＢＣＨにおいてｍｓｇ．２を送信可能なＤＬ  ＢＷＰを指示する場合、ネットワーク装置は、異なる周波数領域位置に位置する１つ又は複数のＳＳＢ（ＳＳ／ＰＢＣＨ  ｂｌｏｃｋ：同期信号ブロードキャストチャネルブロック）を送信してもよく、各ＳＳＢのＰＢＣＨはｍｓｇ．２を送信するためのＤＬ  ＢＷＰをそれぞれ指示し、システム情報は該ＤＬ  ＢＷＰに対応するｍｓｇ．１を送信するための時間周波数リソース及び／又はｐｒｅａｍｂｌｅを指示する。
【００７０】
システム情報及び／又はＲＲＣシグナリングにおいてｍｓｇ．２を送信可能なＤＬ  ＢＷＰを指示する場合、ｍｓｇ．１を送信可能な時間周波数リソース及び／又はｐｒｅａｍｂｌｅ、並びにｍｓｇ．２を送信可能なＤＬ  ＢＷＰは、同一のメッセージ（例えばシステム情報／ｇｒｏｕｐ−ｓｐｅｃｉｆｉｃ  ＲＲＣ／ＵＥ−ｓｐｅｃｉｆｉｃ  ＲＲＣ）の１つのＲＲＣ  ＩＥにおいて指示されてもよい。例えば、１つのメッセージは、ｍｓｇ．２を送信するためのＤＬ  ＢＷＰを指示する１つ又は複数のＲＲＣ  ＩＥ（ｃｏｍｍｏｎ又はｄｅｄｉｃａｔｅｄ、例えばＢａｎｄｗｉｄｔｈＰａｒｔ）を含み、ｍｓｇ．２を送信するためのＤＬ  ＢＷＰを指示する各ＩＥは、対応する時間周波数リソース及び／又はｐｒｅａｍｂｌｅ（例えばＲＡＣＨ−ＣｏｎｆｉｇＣｏｍｍｏｎ、ＲＡＣＨ−ＣｏｎｆｉｇＤｅｄｉｃａｔｅｄ）を含む。また、例えば、１つのメッセージは、ｍｓｇ．１を送信可能な時間周波数リソース及び／又はｐｒｅａｍｂｌｅを指示する１つ又は複数のＲＲＣ  ＩＥ（例えばＲＡＣＨ−ＣｏｎｆｉｇＣｏｍｍｏｎ、ＲＡＣＨ−ＣｏｎｆｉｇＤｅｄｉｃａｔｅｄ）を含み、ｍｓｇ．１を送信可能な時間周波数リソース及び／又はｐｒｅａｍｂｌｅを指示する各ＩＥは、ｍｓｇ．２を送信するための対応するＤＬ  ＢＷＰ（例えばＢａｎｄｗｉｄｔｈＰａｒｔ）を含む。さらに、ｍｓｇ．１を送信可能な時間周波数リソース及び／又はｐｒｅａｍｂｌｅ、並びにｍｓｇ．２を送信可能なＤＬ  ＢＷＰも、同一のメッセージの異なるＩＥにおいて指示されてもよい。例えば、１つのメッセージは、ＳＳＢ又はＣＳＩ−ＲＳ構成を指示する１つ又は複数のＲＲＣ  ＩＥ（例えばＣＳＩ−ＭｅａｓＣｏｎｆｉｇ）を含み、ＣＳＩ−ＲＳ構成を指示する各ＩＥは、対応する時間周波数リソース及び／又はｐｒｅａｍｂｌｅ（例えばＲＡＣＨ−ＣｏｎｆｉｇＣｏｍｍｏｎ、ＲＡＣＨ−ＣｏｎｆｉｇＤｅｄｉｃａｔｅｄ）、並びにｍｓｇ．２を送信するための対応するＤＬ  ＢＷＰを含む。
【００７１】
また、ネットワーク装置は、システムメッセージにおいて、ｍｓｇ．２を送信可能な複数のＤＬ  ＢＷＰ、並びに各ＤＬ  ＢＷＰに対応するｍｓｇ．１を送信するための時間周波数リソース及び／又はｐｒｅａｍｂｌｅを指示し、ＲＲＣシグナリングを介して、ＵＥにより用いられる、ｍｓｇ．２を送信可能な１つ又は複数のＤＬ  ＢＷＰを指示してもよい。
【００７２】
本実施例では、ネットワーク装置はＤＬ  ＢＷＰ  ｉｎｄｅｘをさらに指示してもよく、例えば、ｍｓｇ．２を送信するためのＤＬ  ＢＷＰを指示するＲＲＣ  ＩＥはｉｎｄｅｘ情報を含む。
【００７３】
本実施例では、該ランダムアクセス方法は競合ベースのランダムアクセスに適用され、ＵＥは該ランダムアクセスを自律的に開始してもよいし、ネットワーク装置はＵＥが該ランダムアクセスを開始するようにトリガしてもよい。
【００７４】
ネットワーク装置がトリガする場合、ネットワーク装置は、ＤＣＩ又はＲＲＣシグナリングを介して、ＵＥが該競合ベースのランダムアクセスを開示するようにトリガしてもよい。
【００７５】
１つの態様では、ＵＥが該ランダムアクセスを開始するようにネットワーク装置によりトリガされる場合、ネットワーク装置は、ｍｓｇ．２を送信するためのＤＬ  ＢＷＰ（例えばＤＬ  ＢＷＰ  ｉｎｄｅｘ）をＵＥに指示してもよい。これによって、ユーザ装置は、ｍｓｇ．２を受信するためのＤＬ  ＢＷＰを決定し、ＤＬ  ＢＷＰでｍｓｇ．２を監視して受信してもよい。
【００７６】
この態様では、上述したように、ネットワーク装置は、第１  ＤＬ  ＢＷＰ及び第１  ＤＬ  ＢＷＰに対応する少なくとも１つのｐｒｅａｍｂｌｅをさらに指示し、受信された第１  ｐｒｅａｍｂｌｅが指示された第１  ＤＬ  ＢＷＰに対応する少なくとも１つのｐｒｅａｍｂｌｅに属する場合、ｍｓｇ．２を送信するためのＤＬ  ＢＷＰが第１  ＤＬ  ＢＷＰであると決定してもよい。
【００７７】
この態様では、上述したように、ネットワーク装置は、第１  ＤＬ  ＢＷＰ、及び第１  ＤＬ  ＢＷＰに対応するｐｒｅａｍｂｌｅ送信のための少なくとも１つの時間周波数リソースをさらに指示し、第１  ｐｒｅａｍｂｌｅを受信した第１時間周波数リソースが指示された第１  ＤＬ  ＢＷＰに対応するｐｒｅａｍｂｌｅ送信のための少なくとも１つの時間周波数リソースに属する場合、ｍｓｇ．２を送信するためのＤＬ  ＢＷＰが第１  ＤＬ  ＢＷＰであると決定してもよい。
【００７８】
もう１つの態様では、ＵＥが該ランダムアクセスを開始するようにネットワーク装置によりトリガされる場合、ネットワーク装置は、ＵＥによりｍｓｇ．１を送信可能なｐｒｅａｍｂｌｅ集合及び／又は時間周波数リソース集合を指示しなくてもよいし、ＵＥによりｍｓｇ．１を送信可能なｐｒｅａｍｂｌｅ集合及び／又は時間周波数リソース集合を指示してもよく、ここの時間周波数リソースは、ＰＲＡＣＨリソース又はＰＲＡＣＨリソースを含むＵＬ  ＢＷＰを意味するが、これに限定されない。指示しない場合、ＵＥは、独自の方策に基づいて、ｍｓｇ．１を送信するためのｐｒｅａｍｂｌｅ及びリソースを選択してもよく、指示する場合、ＵＥは、指示されたｐｒｅａｍｂｌｅ集合及び／又はリソース集合からｐｒｅａｍｂｌｅ及びリソースを選択してもよく、具体的な内容は実施例２において説明する。
【００７９】
ＵＥによりｍｓｇ．１を送信可能なｐｒｅａｍｂｌｅ集合及び／又はリソース集合がネットワーク装置により指示されている場合、ネットワーク装置は、該指示及びｍｓｇ．２を送信するためのＤＬ  ＢＷＰに対応するｍｓｇ．１を送信するための時間周波数リソース（ＰＲＡＣＨリソース又はＰＲＡＣＨリソースを含むＵＬ  ＢＷＰ）及び／又はｐｒｅａｍｂｌｅに基づいて、ＵＥにより使用可能なｐｒｅａｍｂｌｅ集合及び／又はリソース集合を指示してもよい。
【００８０】
例えば、ネットワーク装置は、ＵＥがｍｓｇ．２を送信可能なＤＬ  ＢＷＰに対応する１つ又は複数のｐｒｅａｍｂｌｅ及び／又はリソースを使用するように指定してもよい。また、例えば、ネットワーク装置はｍｓｇ．２を送信可能な１つ又は複数のＤＬ  ＢＷＰをＵＥに通知し、ＵＥは該情報に基づいてｐｒｅａｍｂｌｅ及び／又はリソースを選択してもよい。
【００８１】
本実施例では、ネットワーク装置は、構成された時間周波数リソースで上記ｐｒｅａｍｂｌｅを受信し、決定されたＤＬ  ＢＷＰでｍｓｇ．２を送信してもよく、該ｍｓｇ．２は、該ユーザ装置が第３メッセージ（ｍｓｇ．３）を送信するようにスケジューリングするスケジューリング情報を含んでもよい。これによって、図２に示すように、ユーザ装置は、該ｍｓｇ．２を受信した後に、該ｍｓｇ．２に含まれる該スケジューリング情報に基づいてネットワーク装置にｍｓｇ．３を送信してもよく（ステップ２０５）、該ｍｓｇ．３は、該ユーザ装置の識別子（ＵＥ  ＩＤ）、例えばＣ−ＲＮＴＩなどを含んでもよい。ネットワーク装置は、該ユーザ装置の正常なアクセスを確保するように、該スケジューリングの位置において該ｍｓｇ．３を受信し、該ｍｓｇ．３に含まれるＵＥ識別子に基づいて、該ランダムアクセスを開始した該ユーザ装置を一意に決定し、該ユーザ装置に該ｍｓｇ．４を送信してもよい（ステップ２０６）。
【００８２】
本実施例では、ネットワーク装置は、該ｍｓｇ．２を送信するためのＤＬ  ＢＷＰで該ｍｓｇ．４を送信してもよい。或いは、ユーザ装置が競合ベースのランダムアクセスを開始する前にアクティブ化されたＤＬ  ＢＷＰ（ａｃｔｉｖｅ  ＤＬ  ＢＷＰ）を介して、該ｍｓｇ．４を送信してもよい。或いは、ユーザ装置でデフォルトのＤＬ  ＢＷＰ（ｄｅｆａｕｌｔ  ＤＬ  ＢＷＰ）が構成された場合、ユーザ装置のために構成された該デフォルトのＤＬ  ＢＷＰ（ｄｅｆａｕｌｔ  ＤＬ  ＢＷＰ）を介して、該ｍｓｇ．４を送信してもよい。或いは、ユーザ装置が競合ベースのランダムアクセスを開始する前にアクティブ化されたＤＬ  ＢＷＰがタイムアウトしていない場合、該アクティブ化されたＤＬ  ＢＷＰを介して、該ｍｓｇ．４を送信してもよい。或いは、ユーザ装置が競合ベースのランダムアクセスを開始する前にアクティブ化されたＤＬ  ＢＷＰがタイムアウトした場合、ユーザ装置のために構成されたデフォルトのＤＬ  ＢＷＰを介して、該ｍｓｇ．４を送信してもよい。
【００８３】
ユーザ装置の構成されたＤＬ  ＢＷＰのうちの１つ又は複数がアクティブ化された場合、ユーザ装置のためにデフォルトのＤＬ  ＢＷＰが構成されたとき、ＵＥは、アクティブ化された各ＢＷＰについて１つのタイマを開始する。ＵＥが制御情報を受信した場合、ＵＥは、該制御情報を送信するためのＤＬ  ＢＷＰに対応するタイマ値をリセットする。タイマ値が０の場合、タイムアウトとなり、ユーザ装置は該デフォルトのＤＬ  ＢＷＰに切り替わる。
【００８４】
上記の実施例では、受信されたｐｒｅａｍｂｌｅ及び／又は該ｐｒｅａｍｂｌｅを送信するための時間周波数リソースに基づいて、ｍｓｇ．２を送信するためのＤＬ  ＢＷＰを決定することを説明している。上記の実施例では、ｍｓｇ．２を送信するためのＤＬ  ＢＷＰを決定する際に、ネットワーク装置により指示された上記の対応関係を使用している。
【００８５】
他の実施例では、該対応関係を使用せず、ユーザ装置により送信されたｍｓｇ．１に基づいて、ｍｓｇ．２を送信するためのＤＬ  ＢＷＰを決定してもよい。
【００８６】
該実施例では、ネットワーク装置はユーザ装置により送信されたｍｓｇ．１を受信し、該ｍｓｇ．１は、ｍｓｇ．２を送信するためのＤＬ  ＢＷＰを示す指示情報を含み、該指示情報は例えばＤＬ  ＢＷＰ  ｉｎｄｅｘ又はユーザ識別子（Ｃ−ＲＮＴＩ）であり、該ネットワーク装置は、該指示情報に基づいて、ｍｓｇ．２を送信するためのＤＬ  ＢＷＰを決定し、決定されたＤＬ  ＢＷＰでｍｓｇ．２を送信する。
【００８７】
本実施例では、ｍｓｇ．１はランダムアクセスのためのものに限定されず、例えば、ｍｓｇ．１は指示情報及び信号を含んでもよい。該信号は、１つ又は複数の符号（シンボル）に位置し、アップリンクタイミング／チャネル推定／チャネル品質測定などのために用いられてもよい。該信号は、予め定義された信号、例えばシーケンス信号であってもよく、ｐｒｅａｍｂｌｅ、パイロット、参照信号などと称されてもよい。
【００８８】
該実施例では、ｍｓｇ．１は、ｍｓｇ．２を送信するためのＤＬ  ＢＷＰを示す指示情報を搬送してもよく、該指示情報はビット情報であってもよい。この場合、ｍｓｇ．２を送信可能なＤＬ  ＢＷＰがネットワーク装置により構成、或いは指示されたとき、ユーザ装置は、ｍｓｇ．１により搬送された該指示情報（例えばＤＬ  ＢＷＰ  ｉｎｄｅｘ、該ユーザ装置の識別子（ＵＥ  ＩＤ）、例えばＣ−ＲＮＴＩ）を介して、ｍｓｇ．２を送信するためのＤＬ  ＢＷＰをネットワーク装置に通知してもよい。これによって、ネットワーク装置は、ｍｓｇ．１を受信した後に、ｐｒｅａｍｂｌｅを送信するための時間周波数リソース又はｐｒｅａｍｂｌｅを考慮する必要がなく、上記の対応関係を考慮する必要がなく、ｍｓｇ．１により搬送された該指示情報に基づいて、ｍｓｇ．２を送信するためのＤＬ  ＢＷＰを直接決定してもよい。なお、本実施例はこれに限定されず、１つのオプションとして、ネットワーク装置は、ｐｒｅａｍｂｌｅを送信するための時間周波数リソース又はｐｒｅａｍｂｌｅ、及び上記の対応関係の両方を考慮し、総合的に考慮した後に、ｍｓｇ．２を送信するためのＤＬ  ＢＷＰを決定してもよい。
【００８９】
例えば、ネットワーク装置は、各ＤＬ  ＢＷＰに対応する各ｐｒｅａｍｂｌｅを指示し、該指示情報、受信された該ｍｓｇ．１により用いられるｐｒｅａｍｂｌｅ、及び指示された各ＤＬ  ＢＷＰに対応する各ｐｒｅａｍｂｌｅに基づいて、ｍｓｇ．２を送信するためのＤＬ  ＢＷＰを決定してもよい。
【００９０】
また、例えば、ネットワーク装置は、各ＤＬ  ＢＷＰに対応する、ｍｓｇ．１を送信するための各時間周波数リソースを指示し、該指示情報、該ｍｓｇ．１を受信するための時間周波数リソース、及び指示された各ＤＬ  ＢＷＰに対応する、ｍｓｇ．１を送信するための各時間周波数リソースに基づいて、ｍｓｇ．２を送信するためのＤＬ  ＢＷＰを決定してもよい。
【００９１】
また、例えば、ネットワーク装置は、各ＤＬ  ＢＷＰに対応する各ｐｒｅａｍｂｌｅ、及び各ＤＬ  ＢＷＰに対応するｍｓｇ．１を送信するための各時間周波数リソースを指示し、該指示情報、受信された該ｍｓｇ．１により用いられるｐｒｅａｍｂｌｅ、該ｍｓｇ．１を受信するための時間周波数リソース、指示された各ＤＬ  ＢＷＰに対応する各ｐｒｅａｍｂｌｅ、及び指示された各ＤＬ  ＢＷＰに対応する、ｍｓｇ．１を送信するための各時間周波数リソースに基づいて、ｍｓｇ．２を送信するためのＤＬ  ＢＷＰを決定してもよい。
【００９２】
本実施例の方法によれば、ネットワーク装置は、受信されたｍｓｇ．１により用いられる時間周波数リソース、及び／又はｐｒｅａｍｂｌｅ、及び／又は該ｍｓｇ．１により搬送された指示情報に基づいて、ｍｓｇ．２を送信するためのＤＬ  ＢＷＰを決定して該ｍｓｇ．２を送信することができる。これによって、ＵＥの正常アクセスを確保することができる。
【００９３】
＜実施例２＞
本実施例はランダムアクセス方法を提供し、該方法はユーザ装置に適用され、該方法は実施例１の方法の端末側の処理に対応し、実施例１と同様な内容についてその説明を省略する。図１０は該方法の概略図であり、図１０に示すように、該方法は以下のステップを含む。
【００９４】
ステップ１００１：ユーザ装置は、ｍｓｇ．２を受信するためのＤＬ  ＢＷＰを決定する。
【００９５】
ステップ１００２：該ユーザ装置は、該ＤＬ  ＢＷＰに対応するｐｒｅａｍｂｌｅ送信のための少なくとも１つの時間周波数リソースから第１時間周波数リソースを選択し、該ＤＬ  ＢＷＰに対応する少なくとも１つのｐｒｅａｍｂｌｅから第１  ｐｒｅａｍｂｌｅを選択し、選択された第１時間周波数リソースで第１  ｐｒｅａｍｂｌｅを送信する。
【００９６】
ステップ１００３：該ユーザ装置は、該ＤＬ  ＢＷＰで該ｍｓｇ．２を監視して受信する。
【００９７】
本実施例では、実施例１で説明したように、該時間周波数リソースはＰＲＡＣＨリソースであってもよく、該ｐｒｅａｍｂｌｅはｍｓｇ．１（ランダムアクセス要求）により用いられるｐｒｅａｍｂｌｅであり、該ｍｓｇ．２はランダムアクセス応答であり、ＵＥは該ランダムアクセスを自律的に開始してもよいし、ネットワーク装置は該ランダムアクセスを開始するようにトリガしてもよい。
【００９８】
ステップ１００１の１つの態様では、実施例１で説明したように、ネットワーク装置は、第１  ＤＬ  ＢＷＰ、及び第１  ＤＬ  ＢＷＰに対応するｐｒｅａｍｂｌｅ送信のための少なくとも１つの時間周波数リソース、並びに／又は、第２  ＤＬ  ＢＷＰ、及び第２  ＤＬ  ＢＷＰに対応するｐｒｅａｍｂｌｅ送信のための少なくとも１つの時間周波数リソースを指示してもよい。ユーザ装置は、該指示を受信し、該指示に基づいて、ｍｓｇ．２を受信するためのＤＬ  ＢＷＰを決定してもよい。
【００９９】
ステップ１００１のもう１つの態様では、実施例１で説明したように、ネットワーク装置は、第１  ＤＬ  ＢＷＰ、及び第１  ＤＬ  ＢＷＰに対応する少なくとも１つのｐｒｅａｍｂｌｅ、並びに／又は、第２  ＤＬ  ＢＷＰ、及び第２  ＤＬ  ＢＷＰに対応する少なくとも１つのｐｒｅａｍｂｌｅを指示してもよい。ユーザ装置は、該指示を受信し、該指示に基づいて、ｍｓｇ．２を受信するためのＤＬ  ＢＷＰを決定してもよい。
【０１００】
本実施例では、上記２つの態様を組み合わせてもよい。
【０１０１】
ステップ１００１のもう１つの態様では、実施例１で説明したように、ネットワーク装置は、ＵＥが競合ベースのランダムアクセスを行うようにトリガする際に、ｍｓｇ．２を送信するためのＤＬ  ＢＷＰをＵＥに指示してもよい。これによって、ＵＥは、該指示に基づいて、ｍｓｇ．２を受信するためのＤＬ  ＢＷＰを決定してもよい。
【０１０２】
具体的な指示方法、及びｍｓｇ．２を送信可能なＤＬ  ＢＷＰとｐｒｅａｍｂｌｅ、及び／又はそれとｐｒｅａｍｂｌｅ送信のための時間周波数リソースの対応関係について、実施例１で既に詳細に説明しており、ここでその内容を援用し、その説明を省略する。
【０１０３】
ステップ１００２において、ｐｒｅａｍｂｌｅ送信のために用いられる１つのＤＬ  ＢＷＰに対応するｐｒｅａｍｂｌｅ集合及び／又は時間周波数リソース集合がネットワーク装置により指示されていない場合、即ち、ＵＥが該ランダムアクセスを自律的に開始し、或いはＵＥが該ランダムアクセスを開示するようにネットワーク装置がトリガしており、且つ該指定を行っていないため、ＵＥが１つのＵＬ  ＢＷＰを同時にアクティブ化して使用することしかできない場合、ＵＥは、以下の方法を用いて該第１  ｐｒｅａｍｂｌｅを送信してもよい。
【０１０４】
例えば、現在アクティブ化されているＵＬ  ＢＷＰにｐｒｅａｍｂｌｅ送信のための時間周波数リソースが含まれる場合、ＵＥは、現在アクティブ化されているＵＬ  ＢＷＰから第１  ｐｒｅａｍｂｌｅを送信するための時間周波数リソースを選択し、該第１  ｐｒｅａｍｂｌｅを送信する。
【０１０５】
また、例えば、ＵＥは、ＰＲＡＣＨリソースを含むもう１つのＵＬ
ＢＷＰに切り替え、その中の１つのＰＲＡＣＨリソースを使用して第１のｐｒｅａｍｂｌｅを送信してもよい。
【０１０６】
例えば、ＵＥは、ｐｒｅａｍｂｌｅ送信のためのＰＲＡＣＨリソースを含む、割り当てられた他のアクティブ化されていないＵＬ  ＢＷＰに切り替え、その中から第１  ｐｒｅａｍｂｌｅを送信するためのＰＲＡＣＨリソースを選択し、該第１  ｐｒｅａｍｂｌｅを送信してもよい。
【０１０７】
また、例えば、ＵＥは、割り当てられた全てのＵＬ  ＢＷＰ以外の、ｐｒｅａｍｂｌｅ送信のためのＰＲＡＣＨリソースを含むＵＬ  ＢＷＰに切り替え、その中から第１  ｐｒｅａｍｂｌｅを送信するためのＰＲＡＣＨリソースを選択し、該第１  ｐｒｅａｍｂｌｅを送信してもよい。
【０１０８】
さらに、ＵＥが２つ又は２つ以上のＵＬ  ＢＷＰを同時にアクティブ化して使用することができる場合、ＵＥは、以下の方法を用いて該第１  ｐｒｅａｍｂｌｅを送信してもよい。
【０１０９】
例えば、アクティブ化されたＵＬ  ＢＷＰが最大数に達していない場合、ＵＥは、ｐｒｅａｍｂｌｅ送信のためのＰＲＡＣＨリソースを含む、割り当てられた他のアクティブ化されていないＵＬ  ＢＷＰをアクティブ化し、その中から第１  ｐｒｅａｍｂｌｅを送信するためのＰＲＡＣＨリソースを選択し、該第１  ｐｒｅａｍｂｌｅを送信してもよい。
【０１１０】
また、例えば、ＵＥは、ＰＲＡＣＨリソースを含むもう１つのＵＬ  ＢＷＰをアクティブ化し、或いは該ＵＬ  ＢＷＰに切り替え、その中のＰＲＡＣＨリソースを使用して第１のｐｒｅａｍｂｌｅを送信してもよい。
【０１１１】
例えば、アクティブ化されたＵＬ  ＢＷＰが最大数に達していない場合、ＵＥは、割り当てられた全てのＵＬ  ＢＷＰ以外の、ｐｒｅａｍｂｌｅ送信のためのＰＲＡＣＨリソースを含むＵＬ  ＢＷＰをアクティブ化し、その中から第１  ｐｒｅａｍｂｌｅを送信するためのＰＲＡＣＨリソースを選択し、該第１  ｐｒｅａｍｂｌｅを送信してもよい。
【０１１２】
また、例えば、ＵＥは、少なくとも１つのアクティブ化されたＵＬ  ＢＷＰを、ｐｒｅａｍｂｌｅ送信のためのＰＲＡＣＨリソースを含む割り当てられた他のアクティブ化されていないＵＬ  ＢＷＰに切り替え、その中から第１  ｐｒｅａｍｂｌｅを送信するためのＰＲＡＣＨリソースを選択し、該第１  ｐｒｅａｍｂｌｅを送信してもよい。
【０１１３】
また、例えば、ＵＥは、少なくとも１つのアクティブ化されたＵＬ  ＢＷＰを、割り当てられた全てのＵＬ  ＢＷＰ以外の、ｐｒｅａｍｂｌｅ送信のためのＰＲＡＣＨリソースを含むＵＬ  ＢＷＰに切り替え、その中から第１  ｐｒｅａｍｂｌｅを送信するためのＰＲＡＣＨリソースを選択し、該第１  ｐｒｅａｍｂｌｅを送信してもよい。
【０１１４】
ステップ１００２において、ｇＮＢがｐｒｅａｍｂｌｅ送信のために用いられる１つのＤＬ  ＢＷＰに対応するｐｒｅａｍｂｌｅ集合及び／又は時間周波数リソース集合を指定した場合、即ち、ネットワークによりＵＥが該ランダムアクセスを開始するようにトリガして該指定を行う場合、ＵＥは、ネットワークにより指定されたｐｒｅａｍｂｌｅ送信のために用いられる時間周波数リソース集合及び／又はｐｒｅａｍｂｌｅ集合から第１  ｐｒｅａｍｂｌｅを送信するための時間周波数リソースを選択して該第１  ｐｒｅａｍｂｌｅを送信してもよい。また、ネットワーク装置がｍｓｇ．２を送信するためのＤＬ  ＢＷＰをＵＥに暗黙的に指示してもよく、これによって、ＵＥは該指示に基づいて、ｍｓｇ．２を受信するためのＤＬ  ＢＷＰを決定することができる。
【０１１５】
ステップ１００３のもう１つの態様では、実施例１で説明したように、ネットワーク装置は、第１  ＤＬ  ＢＷＰに対応する少なくとも１つのｐｒｅａｍｂｌｅ及び／又は第２  ＤＬ  ＢＷＰに対応する少なくとも１つのｐｒｅａｍｂｌｅをさらに指示してもよく、この場合、ＵＥは、該指示を受信し、該指示及び該第１  ｐｒｅａｍｂｌｅを送信するための時間周波数リソースに基づいて、ネットワーク装置によりｍｓｇ．２を送信するためのＤＬ  ＢＷＰを決定してもよい。
【０１１６】
例えば、ユーザ装置により送信された第１  ｐｒｅａｍｂｌｅが第１  ＤＬ  ＢＷＰに対応する場合、即ち、該第１  ｐｒｅａｍｂｌｅが第１  ＤＬ  ＢＷＰに対応する少なくとも１つのｐｒｅａｍｂｌｅに属する場合、ユーザ装置は、ネットワーク装置によりｍｓｇ．２を送信するためのＤＬ  ＢＷＰが第１  ＤＬ  ＢＷＰであると決定する。また、例えば、ユーザ装置により送信された第１  ｐｒｅａｍｂｌｅが第２  ＤＬ  ＢＷＰに対応する場合、即ち、該第１  ｐｒｅａｍｂｌｅが第２  ＤＬ  ＢＷＰに対応する少なくとも１つのｐｒｅａｍｂｌｅに属する場合、ユーザ装置は、ネットワーク装置によりｍｓｇ．２を送信するためのＤＬ  ＢＷＰが第２  ＤＬ  ＢＷＰであると決定する。
【０１１７】
具体的な指示方法、及びｍｓｇ．２を送信可能なＤＬ  ＢＷＰとｐｒｅａｍｂｌｅとの対応関係について、実施例１で既に詳細に説明しており、ここでその内容を援用し、その説明を省略する。
【０１１８】
ステップ１００３において、ＵＥが１つのＤＬ  ＢＷＰを同時に受信して使用することしかできない場合、該ＵＥは、以下の方法を用いてｍｓｇ．２を監視して受信してもよい。
【０１１９】
例えば、決定された該ＤＬ  ＢＷＰにおけるｍｓｇ．２を送信するためのＣＯＲＥＳＥＴ構成が現在アクティブ化されたＤＬ  ＢＷＰにおけるｍｓｇ．２を送信するためのＣＯＲＥＳＥＴ構成と同一である場合、ＵＥは、現在アクティブ化されたＤＬ  ＢＷＰでｍｓｇ．２を監視して受信してもよい。
【０１２０】
また、例えば、ＵＥは、決定された該ＤＬ  ＢＷＰに切り替え、決定された該ＤＬ  ＢＷＰでｍｓｇ．２を監視して受信してもよい。
【０１２１】
ステップ１００３において、ＵＥが２つ又は２つ以上のＤＬ  ＢＷＰを同時に受信することができる場合、該ＵＥは、以下の方法を用いてｍｓｇ．２を監視して受信してもよい。
【０１２２】
例えば、決定された該ＤＬ  ＢＷＰにおけるｍｓｇ．２を送信するためのＣＯＲＥＳＥＴ構成が現在アクティブ化されたＤＬ  ＢＷＰにおけるｍｓｇ．２を送信するためのＣＯＲＥＳＥＴ構成と同一である場合、ＵＥは、現在アクティブ化されたＤＬ  ＢＷＰでｍｓｇ．２を監視して受信してもよい。
【０１２３】
また、例えば、ＵＥは、もう１つのＤＬ  ＢＷＰをアクティブ化し、或いはもう１つのＤＬ  ＢＷＰに切り替え、ｍｓｇ．２を監視して受信してもよい。
【０１２４】
例えば、アクティブ化されたＤＬ  ＢＷＰが最大数に達していない場合、ＵＥは、決定された該ＤＬ  ＢＷＰをアクティブ化し、決定された該ＤＬ  ＢＷＰで該ｍｓｇ．２を監視して受信してもよい。
【０１２５】
また、例えば、ＵＥは、そのうち１つのアクティブ化されたＤＬ  ＢＷＰを決定された該ＤＬ  ＢＷＰに切り替え、決定された該ＤＬ  ＢＷＰで該ｍｓｇ．２を監視して受信してもよい。
【０１２６】
以上の説明では、決定された該ＤＬ  ＢＷＰは、ＵＥにより送信されたｍｓｇ．１に対応するＤＬ  ＢＷＰであり、即ち該第１  ｐｒｅａｍｂｌｅを送信するための時間周波数リソース及び／又は第１  ｐｒｅａｍｂｌｅに対応するｍｓｇ．２を送信するためのＤＬ  ＢＷＰである。
【０１２７】
本実施例では、ＵＥは、ｍｓｇ．２を受信した後に、ｍｓｇ．２に含まれるｍｓｇ．３を送信するためのスケジューリング情報に基づいてｍｓｇ．３を送信してもよく、該ｍｓｇ．３は、ＵＥの識別子、即ちＵＥ  ＩＤを含んでもよい。上述したように、ネットワーク装置は、スケジューリングされた位置において該ｍｓｇ．３を受信し、該ｍｓｇ．３に含まれるＵＥ  ＩＤに基づいてＵＥを一意に決定し、ＵＥにｍｓｇ．４を送信してもよい。具体的な送信方法は、実施例１と同様であり、ここでその説明を省略する。
【０１２８】
本実施例では、ＵＥは該ｍｓｇ．４を受信した後に、ランダムアクセスの全てのプロセスを完了してもよい。
【０１２９】
本実施例では、ネットワーク装置側の他の実施例に応じて、ｍｓｇ．１は、指示情報を搬送することで、ｍｓｇ．２を送信するためのＤＬ  ＢＷＰを指示してもよい。この場合、本実施例では、ＵＥは、送信されたｍｓｇ．１により搬送された該指示情報に基づいて、ネットワーク装置によりｍｓｇ．２を送信するためのＤＬ  ＢＷＰを決定し、決定された該ＤＬ  ＢＷＰでｍｓｇ．２を監視して受信してもよい。
【０１３０】
該実施例では、ユーザ装置はネットワーク装置にｍｓｇ．１を送信してもよく、該ｍｓｇ．１は、該ネットワーク装置がｍｓｇ．２を送信するためのＤＬ  ＢＷＰを示す指示情報を含み、該指示情報はビット情報である。また、ユーザ装置は、該指示情報に基づいて、ｍｓｇ．２を受信するためのＤＬ  ＢＷＰを決定し、決定されたＤＬ  ＢＷＰで、ネットワーク装置により送信されたｍｓｇ．２を受信する。
【０１３１】
該実施例では、該指示情報に加えて、ユーザ装置は、該ｍｓｇ．１を送信するための時間周波数リソース及び／又は該ｍｓｇ．１により用いられるｐｒｅａｍｂｌｅに基づいて、ｍｓｇ．２を受信するためのＤＬ  ＢＷＰを決定してもよい。
【０１３２】
例えば、ユーザ装置は、該指示情報、該ネットワーク装置により指示された各ＤＬ  ＢＷＰに対応する各ｐｒｅａｍｂｌｅ、該ｍｓｇ．１により用いられるｐｒｅａｍｂｌｅに基づいて、ｍｓｇ．２を受信するためのＤＬ  ＢＷＰを決定してもよい。
【０１３３】
また、例えば、ユーザ装置は、該指示情報、該ｍｓｇ．１を送信するための時間周波数リソース、及び該ネットワーク装置により指示された各ＤＬ  ＢＷＰに対応する、ｍｓｇ．１を送信するための各時間周波数リソースに基づいて、ｍｓｇ．２を受信するためのＤＬ  ＢＷＰを決定する。
【０１３４】
本実施例の方法によれば、ユーザ装置は、ネットワーク装置にｍｓｇ．１を送信し、送信された該ｍｓｇ．１（例えばｍｓｇ．１を送信するための時間周波数リソース及び／又はｐｒｅａｍｂｌｅ及び／又はｍｓｇ．１により搬送された指示情報）に基づいて、ネットワーク装置によりｍｓｇ．２を送信するためのＤＬ  ＢＷＰを決定し、該ＤＬ  ＢＷＰでｍｓｇ．２を監視して受信し、ランダムアクセスを行うことができる。これによって、ＵＥの正常アクセスを確保することができる。
【０１３５】
＜実施例３＞
本実施例は、ランダムアクセス装置を提供し、該装置はネットワーク装置、例えばｇＮＢ（ＮＲにおける基地局）などに構成されてもよい。該装置の問題解決の原理は実施例１の方法と類似するため、その具体的な実施は実施例１の方法の実施を参考してもよく、同様な内容について説明を省略する。
【０１３６】
図１１は該装置の構成の概略図であり、図１１に示すように、該ランダムアクセス装置１１００は、受信部１１０１、決定部１１０２、及び送信部１１０３を含む。受信部１１０１は、第１時間周波数リソースで、第１ユーザ装置により送信された第１プリアンブル（ｐｒｅａｍｂｌｅ）を受信する。決定部１１０２は、該第１  ｐｒｅａｍｂｌｅに基づいて、第２メッセージ（ｍｓｇ．２Ａ）を送信するためのキャリア帯域幅（ＤＬ  ＢＷＰ）を決定する。送信部１１０３は、該ＤＬ  ＢＷＰで該ｍｓｇ．２Ａを送信する。
【０１３７】
本実施例では、決定部１１０２は、受信された該第１  ｐｒｅａｍｂｌｅに基づいて、ｍｓｇ．２を送信するためのＤＬ  ＢＷＰを決定することができる。これによって、ＵＥの正常アクセスを確保した。
【０１３８】
本実施例の１つの態様では、図１１に示すように、該ランダムアクセス装置１１００は、第１  ＤＬ  ＢＷＰ及び第１  ＤＬ  ＢＷＰに対応する少なくとも１つのｐｒｅａｍｂｌｅを指示する第１指示部１１０４をさらに含む。該第１  ｐｒｅａｍｂｌｅは、該第１指示部１１０４により指示された第１  ＤＬ  ＢＷＰに対応する該少なくとも１つのｐｒｅａｍｂｌｅに属する。これによって、決定部１１０２は、該第１指示部１１０４の指示及び該第１  ｐｒｅａｍｂｌｅに基づいて該第１  ＤＬ  ＢＷＰを決定してもよい。
【０１３９】
この態様では、第１指示部１１０４は、第２  ＤＬ  ＢＷＰ及び第２  ＤＬ  ＢＷＰに対応する少なくとも１つのｐｒｅａｍｂｌｅをさらに指示してもよい。受信部１１０１は、第２ユーザ装置により送信された第２  ｐｒｅａｍｂｌｅをさらに受信し、第２  ｐｒｅａｍｂｌｅは、第１指示部１１０４により指示された第２  ＤＬ  ＢＷＰに対応する少なくとも１つのｐｒｅａｍｂｌｅに属する。決定部１１０２は、該第１指示部１１０４の指示及び該第２  ｐｒｅａｍｂｌｅに基づいて、第２メッセージ（ｍｓｇ．２Ｂ）を送信するための第２  ＤＬ  ＢＷＰをさらに決定してもよい。送信部１１０３は、該第２  ＤＬ  ＢＷＰで該ｍｓｇ．２Ｂをさらに送信してもよい。
【０１４０】
本実施例では、第１指示部１１０４は、ブロードキャスト情報、又はシステム情報及び／若しくはＲＲＣシグナリングを介して該指示を行ってもよい。
【０１４１】
本実施例のもう１つの態様では、図１１に示すように、該ランダムアクセス装置１１００は、第１  ＤＬ  ＢＷＰ、及び第１  ＤＬ  ＢＷＰに対応するｐｒｅａｍｂｌｅ送信のための少なくとも１つの時間周波数リソースを指示する第２指示部１１０５をさらに含む。該第１時間周波数リソースは、該第２指示部１１０５により指示された第１  ＤＬ  ＢＷＰに対応する該少なくとも１つの時間周波数リソースに属する。これによって、決定部１１０２は、第２指示部１１０５の指示及び該第１時間周波数リソースに基づいて該第１  ＤＬ  ＢＷＰを決定してもよい。
【０１４２】
この態様では、第２指示部１１０５は、第２  ＤＬ  ＢＷＰ、及び第２  ＤＬ  ＢＷＰに対応するｐｒｅａｍｂｌｅ送信のための少なくとも１つの時間周波数リソースをさらに指示してもよい。受信部１１０１は、第２時間周波数リソースで、第２ユーザ装置により送信された第２  ｐｒｅａｍｂｌｅをさらに受信してもよい。該第２時間周波数リソースは、該第２指示部１１０５により指示された第２  ＤＬ  ＢＷＰに対応するｐｒｅａｍｂｌｅ送信のための少なくとも１つの時間周波数リソースに属する。決定部１１０２は、該第２指示部１１０５の指示及び該第２時間周波数リソースに基づいて、第２メッセージ（ｍｓｇ．２Ｂ）を送信するための第２  ＤＬ  ＢＷＰをさらに決定してもよい。送信部１１０３は、該第２  ＤＬ  ＢＷＰで該ｍｓｇ．２Ｂをさらに送信してもよい。
【０１４３】
この態様では、第２指示部１１０５は、ブロードキャスト情報、又はシステム情報及び／若しくはＲＲＣシグナリングを介して該指示を行ってもよい。
【０１４４】
本実施例では、図１１に示すように、該ランダムアクセス装置１１００は、カバレッジ内のユーザ装置が競合ベースのランダムアクセスを開始するようにトリガするトリガ部１１０６をさらに含んでもよい。好ましくは、トリガ部１１０６は、ｍｓｇ．２を送信するためのＤＬ  ＢＷＰを各ユーザ装置に指示してもよく、好ましくは、該ユーザ装置がｍｓｇ．１を送信するために用いられる１つのＤＬ  ＢＷＰに対応するｐｒｅａｍｂｌｅ集合及び／又はリソース集合を指定してもよいし、指定しなくてもよい。
【０１４５】
本実施例では、図１１に示すように、該ランダムアクセス装置１１００は、第１  ＤＬ  ＢＷＰ及び第１  ＤＬ  ＢＷＰに対応する少なくとも１つのｐｒｅａｍｂｌｅを指示する第３指示部１１０７をさらに含んでもよい。該第１  ｐｒｅａｍｂｌｅは、該第３指示部により指示された該第１  ＤＬ  ＢＷＰに対応する少なくとも１つのｐｒｅａｍｂｌｅに属する。該決定部１１０２は、該第３指示部１１０７の指示及び該第１  ｐｒｅａｍｂｌｅに基づいて、ｍｓｇ．２Ａを送信するための第１  ＤＬ  ＢＷＰを決定する。
【０１４６】
本実施例では、図１１に示すように、該ランダムアクセス装置１１００は、第１  ＤＬ  ＢＷＰ、及び第１  ＤＬ  ＢＷＰに対応するｐｒｅａｍｂｌｅ送信のための少なくとも１つの時間周波数リソースを指示する第４指示部１１０８をさらに含んでもよい。該第１時間周波数リソースは、該第４指示部１１０８により指示された第１  ＤＬ  ＢＷＰに対応するｐｒｅａｍｂｌｅ送信のための少なくとも１つの時間周波数リソースに属する。該決定部１１０２は、該第４指示部１１０８の指示及び該第１時間周波数リソースに基づいて、ｍｓｇ．２Ａを送信するための第１  ＤＬ  ＢＷＰを決定する。
【０１４７】
本実施例では、受信部１１０１は、第１ユーザ装置により送信された第３メッセージ（ｍｓｇ．３Ａ）をさらに受信してもよい。該ｍｓｇ．３Ａは、該第１ユーザ装置の識別子を含んでもよい。これによって、送信部１１０３は、該第１ユーザ装置の識別子に基づいて該第１ユーザ装置に第４メッセージ（ｍｓｇ．４Ａ）を送信してもよい。
【０１４８】
本実施例では、送信部１１０３は、ｍｓｇ．２Ａを送信するためのＤＬ  ＢＷＰを介して、該ｍｓｇ．４Ａを送信してもよく、或いは、第１ユーザ装置が競合ベースのランダムアクセスを開始する前にアクティブ化されたＤＬ  ＢＷＰを介して、該ｍｓｇ．４Ａを送信してもよく、或いは、第１ユーザ装置のために構成されたデフォルトのＤＬ  ＢＷＰを介して、該ｍｓｇ．４Ａを送信してもよく、或いは、第１ユーザ装置が競合ベースのランダムアクセスを開始する前にアクティブ化されたＤＬ  ＢＷＰがタイムアウトしていない場合、該アクティブ化されたＤＬ  ＢＷＰを介して、該ｍｓｇ．４Ａを送信してもよく、或いは、第１ユーザ装置が競合ベースのランダムアクセスを開始する前にアクティブ化されたＤＬ  ＢＷＰがタイムアウトした場合、第１ユーザ装置のために構成されたデフォルトのＤＬ  ＢＷＰを介して、該ｍｓｇ．４Ａを送信してもよい。
【０１４９】
本実施例の他の態様では、受信部１１０１により受信されたｍｓｇ．１は、ｍｓｇ．２を送信するためのＤＬ  ＢＷＰを指示する指示情報を含む。決定部１１０２は、該指示情報に基づいて、ｍｓｇ．２を送信するためのＤＬ  ＢＷＰを決定してもよい。この態様は、上記の態様と組み合わせてもよい。
【０１５０】
本実施例の装置によれば、ネットワーク装置は、受信されたｍｓｇ．１により用いられる時間周波数リソース、及び／又はｐｒｅａｍｂｌｅ、及び／又は該ｍｓｇ．１により搬送された指示情報に基づいて、ｍｓｇ．２を送信するためのＤＬ  ＢＷＰを決定して該ｍｓｇ．２を送信することができる。これによって、ＵＥの正常アクセスを確保することができる。
【０１５１】
＜実施例４＞
本実施例は、ランダムアクセス装置を提供し、該装置はユーザ装置に構成されてもよい。該装置の問題解決の原理は実施例２の方法と類似するため、その具体的な実施は実施例２の方法の実施を参考してもよく、同様な内容について説明を省略する。
【０１５２】
図１２は該装置の構成の概略図であり、図１２に示すように、該ランダムアクセス装置１２００は、決定部１２０１、送信部１２０２、及び受信部１２０３を含む。決定部１２０１は、ｍｓｇ．２を受信するためのＤＬ  ＢＷＰを決定する。送信部１２０２は、該ＤＬ  ＢＷＰに対応するｐｒｅａｍｂｌｅ送信のための少なくとも１つの時間周波数リソースから第１時間周波数リソースを選択し、該ＤＬ  ＢＷＰに対応する少なくとも１つのｐｒｅａｍｂｌｅから第１  ｐｒｅａｍｂｌｅを選択し、選択された第１時間周波数リソースで第１  ｐｒｅａｍｂｌｅを送信する。受信部１２０３は、該ＤＬ  ＢＷＰで該ｍｓｇ．２を監視して受信する。
【０１５３】
本実施例の１つの態様では、受信部１２０３は、ネットワーク装置により指示された第１  ＤＬ  ＢＷＰ、及び第１  ＤＬ  ＢＷＰに対応するｐｒｅａｍｂｌｅ送信のための少なくとも１つの時間周波数リソース、並びに／又は、第２  ＤＬ  ＢＷＰ、及び第２  ＤＬ  ＢＷＰに対応するｐｒｅａｍｂｌｅ送信のための少なくとも１つの時間周波数リソースをさらに受信してもよい。決定部１２０１は、該第１  ｐｒｅａｍｂｌｅを送信するための該第１時間周波数リソース、該ネットワーク装置により指示された第１  ＤＬ  ＢＷＰ、及び第１  ＤＬ  ＢＷＰに対応するｐｒｅａｍｂｌｅ送信のための少なくとも１つの時間周波数リソース、並びに／又は、第２  ＤＬ  ＢＷＰ、及び第２  ＤＬ  ＢＷＰに対応するｐｒｅａｍｂｌｅ送信のための少なくとも１つの時間周波数リソースに基づいて、ｍｓｇ．２を受信するためのＤＬ  ＢＷＰを決定してもよい。
【０１５４】
本実施例のもう１つの態様では、受信部１２０３は、ネットワーク装置により指示された第１  ＤＬ  ＢＷＰ、及び第１  ＤＬ  ＢＷＰに対応する少なくとも１つのｐｒｅａｍｂｌｅ、並びに／又は、第２  ＤＬ  ＢＷＰ、及び第２  ＤＬ  ＢＷＰに対応する少なくとも１つのｐｒｅａｍｂｌｅをさらに受信してもよい。決定部１２０１は、該第１  ｐｒｅａｍｂｌｅ、該ネットワーク装置により指示された第１  ＤＬ  ＢＷＰ、及び第１  ＤＬ  ＢＷＰに対応する少なくとも１つのｐｒｅａｍｂｌｅ、並びに／又は、第２  ＤＬ  ＢＷＰ、及び第２  ＤＬ  ＢＷＰに対応する少なくとも１つのｐｒｅａｍｂｌｅに基づいて、ｍｓｇ．２を受信するためのＤＬ  ＢＷＰを決定してもよい。
【０１５５】
本実施例のもう１つの態様では、決定部１２０１は、該ユーザ装置が競合ベースのランダムアクセスを行うようにトリガする際にネットワーク装置により指示された、ｍｓｇ．２を送信するためのＤＬ  ＢＷＰに基づいて、ｍｓｇ．２を受信するためのＤＬ  ＢＷＰを決定してもよい。
【０１５６】
本実施例の１つの態様では、ｍｓｇ．１を送信するために用いられる１つのＤＬ  ＢＷＰに対応するｐｒｅａｍｂｌｅ集合及び／又はリソース集合がネットワーク装置により指定されていない場合、送信部１２０２は、以下の方法を用いてｍｓｇ．１を送信してもよい。
【０１５７】
現在アクティブ化されているＵＬ  ＢＷＰにｍｓｇ．１を送信するためのＰＲＡＣＨリソースが含まれる場合、現在アクティブ化されているＵＬ  ＢＷＰからｍｓｇ．１を送信するためのＰＲＡＣＨリソース及びｐｒｅａｍｂｌｅを選択し、該ｍｓｇ．１を送信してもよい。
【０１５８】
或いは、ｍｓｇ．１を送信するためのＰＲＡＣＨリソースを含む、割り当てられた他のアクティブ化されていないＵＬ  ＢＷＰに切り替え、その中からｍｓｇ．１を送信するためのＰＲＡＣＨリソース及びｐｒｅａｍｂｌｅを選択し、該ｍｓｇ．１を送信してもよい。
【０１５９】
或いは、割り当てられた全てのＵＬ  ＢＷＰ以外の、ｍｓｇ．１を送信するためのＰＲＡＣＨリソースを含むＵＬ  ＢＷＰに切り替え、その中からｍｓｇ．１を送信するためのＰＲＡＣＨリソース及びｐｒｅａｍｂｌｅを選択し、該ｍｓｇ．１を送信してもよい。
【０１６０】
或いは、アクティブ化されたＵＬ  ＢＷＰが最大数に達していない場合、ｍｓｇ．１を送信するためのＰＲＡＣＨリソースを含む、割り当てられた他のアクティブ化されていないＵＬ  ＢＷＰをアクティブ化し、その中からｍｓｇ．１を送信するためのＰＲＡＣＨリソース及びｐｒｅａｍｂｌｅを選択し、該ｍｓｇ．１を送信してもよい。
【０１６１】
或いは、アクティブ化されたＵＬ  ＢＷＰが最大数に達していない場合、割り当てられた全てのＵＬ  ＢＷＰ以外の、ｍｓｇ．１を送信するためのＰＲＡＣＨリソースを含むＵＬ  ＢＷＰをアクティブ化し、その中からｍｓｇ．１を送信するためのＰＲＡＣＨリソース及びｐｒｅａｍｂｌｅを選択し、該ｍｓｇ．１を送信してもよい。
【０１６２】
或いは、少なくとも１つのアクティブ化されたＵＬ  ＢＷＰを、ｍｓｇ．１を送信するためのＰＲＡＣＨリソースを含む割り当てられた他のアクティブ化されていないＵＬ  ＢＷＰに切り替え、その中からｍｓｇ．１を送信するためのＰＲＡＣＨリソース及びｐｒｅａｍｂｌｅを選択し、該ｍｓｇ．１を送信してもよい。
【０１６３】
或いは、少なくとも１つのアクティブ化されたＵＬ  ＢＷＰを、割り当てられた全てのＵＬ  ＢＷＰ以外の、ｍｓｇ．１を送信するためのＰＲＡＣＨリソースを含むＵＬ  ＢＷＰに切り替え、その中からｍｓｇ．１を送信するためのＰＲＡＣＨリソース及びｐｒｅａｍｂｌｅを選択し、該ｍｓｇ．１を送信してもよい。
【０１６４】
本実施例のもう１つの態様では、ｍｓｇ．１を送信するために用いられる１つのＤＬ  ＢＷＰに対応するｐｒｅａｍｂｌｅ集合及び／又はリソース集合がネットワーク装置により指定された場合、送信部１２０２は、ネットワーク装置により指定されたｍｓｇ．１を送信するために用いられるｐｒｅａｍｂｌｅ集合及び／又はリソース集合から、ｍｓｇ．１を送信するための時間周波数リソース及びｐｒｅａｍｂｌｅを選択し、該ｍｓｇ．１を送信してもよい。
【０１６５】
本実施例の他の態様では、送信部１２０２により送信されたｍｓｇ．１は、ｍｓｇ．２を送信するためのＤＬ  ＢＷＰを指示する指示情報を搬送している。該態様は上記態様と組み合わせてもよい。
【０１６６】
本実施例では、決定された該ＤＬ  ＢＷＰにおけるｍｓｇ．２を送信するためのＣＯＲＥＳＥＴ構成が現在アクティブ化されたＤＬ  ＢＷＰにおけるｍｓｇ．２を送信するためのＣＯＲＥＳＥＴ構成と同一である場合、受信部１２０３は、現在アクティブ化されたＤＬ  ＢＷＰで該ｍｓｇ．２を監視して受信してもよい。
【０１６７】
本実施例では、受信部１２０３は、決定された該ＤＬ  ＢＷＰに切り替え、決定された該ＤＬ  ＢＷＰで該ｍｓｇ．２を監視して受信してもよい。
【０１６８】
本実施例では、アクティブ化されたＤＬ  ＢＷＰが最大数に達していない場合、受信部１２０３は、決定された該ＤＬ  ＢＷＰをアクティブ化し、決定された該ＤＬ  ＢＷＰで該ｍｓｇ．２を監視して受信してもよい。
【０１６９】
本実施例では、受信部１２０３は、そのうち１つのアクティブ化されたＤＬ  ＢＷＰを決定された該ＤＬ  ＢＷＰに切り替え、決定された該ＤＬ  ＢＷＰで該ｍｓｇ．２を監視して受信してもよい。
【０１７０】
本実施例の装置によれば、ユーザ装置は、ネットワーク装置にｍｓｇ．１を送信し、送信された該ｍｓｇ．１（例えばｍｓｇ．１を送信するための時間周波数リソース及び／又はｐｒｅａｍｂｌｅ及び／又はｍｓｇ．１により搬送された指示情報）に基づいて、ネットワーク装置によりｍｓｇ．２を送信するためのＤＬ  ＢＷＰを決定し、該ＤＬ  ＢＷＰでｍｓｇ．２を監視して受信し、ランダムアクセスを行うことができる。これによって、ＵＥの正常アクセスを確保することができる。
【０１７１】
＜実施例５＞
本発明の実施例は、ネットワーク装置、例えばｇＮＢ（ＮＲにおける基地局）をさらに提供し、該ネットワーク装置は、実施例３のランダムアクセス装置を含む。
【０１７２】
図１３は本発明の実施例のネットワーク装置の１つの態様の構成の概略図である。図１３に示すように、ネットワーク装置１３００は、中央処理装置（ＣＰＵ）１３０１及びメモリ１３０２を含んでもよく、メモリ１３０２は中央処理装置１３０１に接続される。メモリ１３０２は、各種のデータを記憶してもよいし、情報処理のプログラムをさらに記憶し、中央処理装置１３０１の制御で該プログラムを実行し、ユーザ装置により送信された各種の情報を受信し、ユーザ装置に各種の情報を送信する。
【０１７３】
１つの態様では、実施例３のランダムアクセス装置の機能は中央処理装置１３０１に統合され、中央処理装置１３０１により実施例３のランダムアクセス装置の機能を実現してもよい。ここで、ランダムアクセス装置の機能の内容を援用し、その説明を省略する。
【０１７４】
もう１つの態様では、実施例３のランダムアクセス装置は中央処理装置１３０１とそれぞれ配置されてもよく、例えば該ランダムアクセス装置は中央処理装置１３０１に接続されたチップであり、中央処理装置１３０１の制御により該ランダムアクセス装置の機能を実現してもよい。
【０１７５】
また、図１３に示すように、ネットワーク装置１３００は、送受信機１３０３及びアンテナ１３０４などをさらに含んでもよい。上記部材の機能は従来技術と類似し、ここでその説明を省略する。なお、ネットワーク装置１３００は図１３に示す全てのユニットを含む必要がない。また、ネットワーク装置１３００は、図１３に示されていないユニットをさらに含んでもよく、従来技術を参照してもよい。
【０１７６】
本実施例のネットワーク装置によれば、受信されたｍｓｇ．１により用いられる時間周波数リソース、及び／又はｐｒｅａｍｂｌｅ、及び／又は該ｍｓｇ．１により搬送された指示情報に基づいて、ｍｓｇ．２を送信するためのＤＬ  ＢＷＰを決定して該ｍｓｇ．２を送信することができる。これによって、ＵＥの正常アクセスを確保することができる。
【０１７７】
＜実施例６＞
本発明の実施例は、ユーザ装置をさらに提供し、該ユーザ装置は実施例４のランダムアクセス装置を含む。
【０１７８】
図１４は本発明の実施例のユーザ装置の構成の概略図である。図１４に示すように、ユーザ装置１４００は、中央処理装置（ＣＰＵ）１４０１及びメモリ１４０２を含んでもよく、メモリ１４０２は中央処理装置１４０１に接続される。なお、該図は単なる例示的なものであり、電気通信機能又は他の機能を実現するように、他の種類の構成を用いて、該構成を補充又は代替してもよい。
【０１７９】
１つの態様では、実施例４のランダムアクセス装置の機能は中央処理装置１４０１に統合され、中央処理装置１４０１により実施例４のランダムアクセス装置の機能を実現してもよい。ここで、ランダムアクセス装置の機能の内容を援用し、その説明を省略する。
【０１８０】
もう１つの態様では、実施例４のランダムアクセス装置は中央処理装置１４０１とそれぞれ配置されてもよく、例えば該ランダムアクセス装置は中央処理装置１４０１に接続されたチップであり、中央処理装置１４０１の制御により該ランダムアクセス装置の機能を実現してもよい。
【０１８１】
また、図１４に示すように、ユーザ装置１４００は、通信モジュール１４０３、入力部１４０４、音声処理部１４０５、ディスプレイ１４０６、電源１４０７をさらに含んでもよい。なお、ユーザ装置１４００は図１４に示す全てのユニットを含む必要がない。また、ユーザ装置１４００は、図１４に示されていないユニットをさらに含んでもよく、従来技術を参照してもよい。
【０１８２】
図１４に示すように、中央処理装置１４０１は、コントローラ又は操作制御部とも称され、マイクロプロセッサ又は他の処理装置及び／又は論理装置を含んでもよく、中央処理装置１４０１は入力を受け付け、ユーザ装置１４００の各部の操作を制御する。
【０１８３】
ここで、メモリ１４０２は、例えばバッファ、フラッシュメモリ、ハードディスク、移動可能な媒体、発揮性メモリ、不発揮性メモリ、又は他の適切な装置の１つ又は複数であってもよく、各種のデータ及び関連情報を実行するためのプログラムを記憶している。また、中央処理装置１４０１は、メモリ１４０２に記憶されたプログラムを実行し、情報の記憶又は処理などを実現してもよい。他の部材は従来技術に類似するため、ここでその説明が省略される。ユーザ装置１４００の各部は、本発明の範囲から逸脱することなく、特定のハードウェア、ファームウェア、ソフトウェア又はその組み合わせによって実現されてもよい。
【０１８４】
本実施例のユーザ装置によれば、ネットワーク装置にｍｓｇ．１を送信し、送信された該ｍｓｇ．１（例えばｍｓｇ．１を送信するための時間周波数リソース及び／又はｐｒｅａｍｂｌｅ及び／又はｍｓｇ．１により搬送された指示情報）に基づいて、ネットワーク装置によりｍｓｇ．２を送信するためのＤＬ  ＢＷＰを決定し、該ＤＬ  ＢＷＰでｍｓｇ．２を監視して受信し、ランダムアクセスを行うことができる。これによって、ＵＥの正常アクセスを確保することができる。
【０１８５】
＜実施例７＞
本発明の実施例は、ネットワーク装置及びユーザ装置を含む通信システムをさらに提供し、ネットワーク装置は例えば実施例５のネットワーク装置１３００であり、ユーザ装置は例えば実施例６のユーザ装置１４００である。
【０１８６】
本実施例では、該ネットワーク装置は、例えばＮＲにおけるｇＮＢであってもよく、実施例３のランダムアクセス装置の機能に加えて、例えば実施例５のようなネットワーク装置の通常の構成及び機能を含み、ここでその説明を省略する。
【０１８７】
本実施例では、該ユーザ装置は、例えばｇＮＢによりサービングされるＵＥであり、実施例４のランダムアクセス装置の機能に加えて、例えば実施例６のようなユーザ装置の通常の構成及び機能を含み、ここでその説明を省略する。
【０１８８】
本実施例の通信システムによれば、ＵＥの正常アクセスを確保することができる。
【０１８９】
本発明の実施例では、コンピュータ読み取り可能なプログラムであって、ネットワーク装置において該プログラムを実行する際に、コンピュータに該ネットワーク装置において上記の実施例１に記載の方法を実行させる、プログラムをさらに提供する。
【０１９０】
本発明の実施例では、コンピュータ読み取り可能なプログラムが記憶されている記憶媒体であって、該プログラムを実行する際に、コンピュータにネットワーク装置において実施例１に記載の方法を実行させる、記憶媒体をさらに提供する。
【０１９１】
本発明の実施例では、コンピュータ読み取り可能なプログラムであって、ユーザ装置において該プログラムを実行する際に、コンピュータに該ユーザ装置において実施例２に記載の方法を実行させる、プログラムをさらに提供する。
【０１９２】
本発明の実施例では、コンピュータ読み取り可能なプログラムが記憶されている記憶媒体であって、該プログラムを実行する際に、コンピュータにユーザ装置において実施例２に記載の方法を実行させる、記憶媒体をさらに提供する。
【０１９３】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１９４】
本発明の実施例を参照しながら説明した各装置における各処理方法は、ハードウェア、プロセッサにより実行されるソフトウェアモジュール、又は両者の組み合わせで実施されてもよい。例えば、図１１に示す機能的ブロック図における１つ若しくは複数、又は機能的ブロック図の１つ若しくは複数の組み合わせ（例えば受信部、決定部、送信部など）は、コンピュータプログラムフローの各ソフトウェアモジュールに対応してもよいし、各ハードウェアモジュールに対応してもよい。これらのソフトウェアモジュールは、図３に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１９５】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１９６】
図面に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１９７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１９８】
また、上述の実施例を含む実施形態に関し、更に以下の付記を開示する。
（付記１）
ネットワーク装置に適用されるランダムアクセス方法であって、
ネットワーク装置がユーザ装置により送信された第１メッセージ（ｍｓｇ．１）を受信するステップであって、前記ｍｓｇ．１は、第２メッセージ（ｍｓｇ．２）を送信するためのキャリア帯域幅（ＤＬ  ＢＷＰ）を示す指示情報を含み、前記指示情報はビット情報である、ステップと、
前記ネットワーク装置が、前記指示情報に基づいて、ｍｓｇ．２を送信するためのＤＬ  ＢＷＰを決定するステップと、
前記ネットワーク装置が、決定されたＤＬ  ＢＷＰでｍｓｇ．２を送信するステップと、を含む、方法。
（付記２）
前記ネットワーク装置は、前記指示情報、並びに前記ｍｓｇ．１を送信するための時間周波数リソース及び／又は前記ｍｓｇ．１により用いられるｐｒｅａｍｂｌｅに基づいて、ｍｓｇ．２を送信するためのＤＬ  ＢＷＰを決定する、付記１に記載の方法。
（付記３）
前記ネットワーク装置が、各ＤＬ  ＢＷＰに対応する各ｐｒｅａｍｂｌｅを指示するステップと、
前記ネットワーク装置が、前記指示情報、受信された前記ｍｓｇ．１により用いられるｐｒｅａｍｂｌｅ、及び指示された各ＤＬ  ＢＷＰに対応する各ｐｒｅａｍｂｌｅに基づいて、ｍｓｇ．２を送信するためのＤＬ  ＢＷＰを決定するステップと、をさらに含む、付記２に記載の方法。
（付記４）
前記ネットワーク装置が、各ＤＬ  ＢＷＰに対応する、ｍｓｇ．１を送信するための各時間周波数リソースを指示するステップと、
前記ネットワーク装置が、前記指示情報、前記ｍｓｇ．１を受信するための時間周波数リソース、及び指示された各ＤＬ  ＢＷＰに対応する、ｍｓｇ．１を送信するための各時間周波数リソースに基づいて、ｍｓｇ．２を送信するためのＤＬ  ＢＷＰを決定するステップと、をさらに含む、付記２又は３に記載の方法。
（付記５）
ユーザ装置に適用されるランダムアクセス方法であって、
ユーザ装置がネットワーク装置にｍｓｇ．１を送信するステップであって、前記ｍｓｇ．１は、前記ネットワーク装置が第２メッセージ（ｍｓｇ．２）を送信するためのキャリア帯域幅（ＤＬ  ＢＷＰ）を示す指示情報を含み、前記指示情報はビット情報である、ステップと、
前記ユーザ装置が、前記指示情報に基づいて、ｍｓｇ．２を受信するためのＤＬ  ＢＷＰを決定するステップと、
前記ユーザ装置が、決定されたＤＬ  ＢＷＰで、ネットワーク装置により送信されたｍｓｇ．２を受信するステップと、を含む、方法。
（付記６）
前記ユーザ装置は、前記指示情報、並びに前記ｍｓｇ．１を送信するための時間周波数リソース及び／又は前記ｍｓｇ．１により用いられるｐｒｅａｍｂｌｅに基づいて、ｍｓｇ．２を受信するためのＤＬ  ＢＷＰを決定する、付記５に記載の方法。
（付記７）
前記ユーザ装置は、前記指示情報、前記ネットワーク装置により指示された各ＤＬ  ＢＷＰに対応する各ｐｒｅａｍｂｌｅ、前記ｍｓｇ．１により用いられるｐｒｅａｍｂｌｅに基づいて、ｍｓｇ．２を受信するためのＤＬ  ＢＷＰを決定する、付記６に記載の方法。
（付記８）
前記ユーザ装置は、前記指示情報、前記ｍｓｇ．１を送信するための時間周波数リソース、及び前記ネットワーク装置により指示された各ＤＬ  ＢＷＰに対応する、ｍｓｇ．１を送信するための各時間周波数リソースに基づいて、ｍｓｇ．２を受信するためのＤＬ  ＢＷＰを決定する、付記６又は７に記載の方法。
【図１】
2021503744.tif 000003
【図２】
2021503744.tif 000004
【図３】
2021503744.tif 000005
【図４】
2021503744.tif 000006
【図５】
2021503744.tif 000007
【図６】
2021503744.tif 000008
【図７】
2021503744.tif 000009
【図８】
2021503744.tif 000010
【図９】
2021503744.tif 000011
【図１０】
2021503744.tif 000012
【図１１】
2021503744.tif 000013
【図１２】
2021503744.tif 000014
【図１３】
2021503744.tif 000015
【図１４】
2021503744.tif 000016
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ネットワーク装置であって、
ユーザ装置により第１時間周波数リソースで送信されたプリアンブル（ｐｒｅａｍｂｌｅ）を受信する受信部と、
受信された前記プリアンブルに基づいてダウンリンク帯域幅部分（ＤＬ  ＢＷＰ）を決定する制御部と、
受信された前記プリアンブルに基づいて前記ＤＬ  ＢＷＰでランダムアクセス手順に関連付けられたメッセージを送信する送信部と、を含む、ネットワーク装置。
【請求項２】
前記送信部は、第１情報及び第２情報を送信し、
前記第１情報は、第１  ＤＬ  ＢＷＰの指示を含み、
前記第２情報は、前記第１  ＤＬ  ＢＷＰに対応し、且つ前記ユーザ装置により前記プリアンブルを送信するための少なくとも１つの時間周波数リソースを指示する、請求項１に記載のネットワーク装置。
【請求項３】
前記送信部は、ブロードキャスト情報、システム情報、及び無線リソース制御（ＲＲＣ）シグナリングの少なくとも１つを介して、前記第１情報及び前記第２情報を送信する、請求項２に記載のネットワーク装置。
【請求項４】
前記第１  ＤＬ  ＢＷＰに対応し、且つ前記ユーザ装置により前記プリアンブルを送信するための前記少なくとも１つの時間周波数リソースは、第１アップリンク（ＵＬ）ＢＷＰに位置する、請求項２に記載のネットワーク装置。
【請求項５】
前記第１  ＤＬ  ＢＷＰに対応し、且つ前記ユーザ装置により前記プリアンブルを送信するための前記少なくとも１つの時間周波数リソースは、物理ランダムアクセスチャネル（ＰＲＡＣＨ）リソースを含む第１  ＵＬ  ＢＷＰである、請求項２に記載のネットワーク装置。
【請求項６】
前記第２情報は、ＰＲＡＣＨリソースを含む第１  ＵＬ  ＢＷＰの情報を含み、
ＰＲＡＣＨリソースを含む第１  ＵＬ  ＢＷＰは、第１  ＤＬ  ＢＷＰに対応する、請求項２に記載のネットワーク装置。
【請求項７】
端末であって、
ＤＬ  ＢＷＰを決定し、前記ＤＬ  ＢＷＰに対応するプリアンブル送信のための少なくとも１つの時間周波数リソースから時間周波数リソースを選択し、前記ＤＬ  ＢＷＰに対応するプリアンブル送信のための少なくとも１つのプリアンブルから第１プリアンブルを選択する処理部と、
選択された前記時間周波数リソースでネットワーク装置に選択された前記第１プリアンブルを送信する送信部と、
前記ＤＬ  ＢＷＰでメッセージを受信する受信部と、を含む、端末。
【請求項８】
前記受信部は、前記ネットワーク装置から、第１  ＤＬ  ＢＷＰを指示するための第１情報、及び前記ＤＬ  ＢＷＰに対応するプリアンブル送信のための前記少なくとも１つの時間周波数リソースを指示するための第２情報を受信する、請求項７に記載の端末。
【請求項９】
前記受信部は、ブロードキャスト情報、システム情報、及びＲＲＣシグナリングの少なくとも１つを介して、前記ネットワーク装置から前記第１情報及び前記第２情報を受信する、請求項８に記載の端末。
【請求項１０】
前記処理部は、受信された前記第１情報及び前記第２情報に基づいて、前記第１  ＤＬ  ＢＷＰと前記ＤＬ  ＢＷＰとが同一であると決定する、請求項８に記載の端末。
【請求項１１】
前記ＤＬ  ＢＷＰに対応するプリアンブル送信のための前記少なくとも１つの時間周波数リソースは、第１  ＵＬ  ＢＷＰの時間周波数リソースである、請求項８に記載の端末。
【請求項１２】
前記ＤＬ  ＢＷＰに対応するプリアンブル送信のための前記少なくとも１つの時間周波数リソースは、ＰＲＡＣＨリソースを含む第１  ＵＬ  ＢＷＰである、請求項８に記載の端末。
【請求項１３】
前記第２情報は、ＰＲＡＣＨリソースを含む前記第１  ＵＬ  ＢＷＰの情報に対応し、
ＰＲＡＣＨリソースを含む前記第１  ＵＬ  ＢＷＰは、前記第１  ＤＬ  ＢＷＰに対応する、請求項１２に記載の端末。
【請求項１４】
前記受信部は、第１  ＤＬ  ＢＷＰに切り替え、前記第１  ＤＬ  ＢＷＰでランダムアクセス手順に関連付けられたメッセージを監視して受信する、請求項７に記載の端末。
【請求項１５】
前記送信部は、前記時間周波数リソースで前記プリアンブルを送信する前に、ＰＲＡＣＨリソースを含む第１  ＵＬ  ＢＷＰに切り替え、
前記時間周波数リソースは、前記第１  ＵＬ  ＢＷＰにおける前記ＰＲＡＣＨリソースに属する、請求項７に記載の端末。
【請求項１６】
前記メッセージは、ランダムアクセス手順におけるメッセージ２（ｍｅｓｓａｇｅ  ２）である、請求項７に記載の端末。
【請求項１７】
ユーザ装置と、ネットワーク装置と、を含む通信システムであって、
前記ユーザ装置は、ランダムアクセス応答メッセージを受信するためのＤＬ  ＢＷＰを決定し、決定された前記ＤＬ  ＢＷＰに基づいてプリアンブル送信のための少なくとも１つの時間周波数リソースから時間周波数リソースを選択し、決定された前記ＤＬ  ＢＷＰに基づいてプリアンブル送信のための少なくとも１つのプリアンブルからプリアンブルを選択し、選択された前記時間周波数リソースでネットワーク装置に前記プリアンブルを送信し、
前記ネットワーク装置は、前記ユーザ装置により送信された前記プリアンブルを受信し、受信された前記プリアンブルに基づいて前記ＤＬ  ＢＷＰを決定し、受信された前記プリアンブルに基づいて、決定された前記ＤＬ  ＢＷＰでランダムアクセス手順に関連するメッセージを送信し、
前記ユーザ装置は、前記ＤＬ  ＢＷＰでランダムアクセス手順に関連する前記メッセージを受信する、通信システム。
【請求項１８】
ランダムアクセス応答メッセージを受信するための前記ＤＬ  ＢＷＰが前記ユーザ装置により決定された場合、前記ユーザ装置は、ＵＬ  ＢＷＰが前記ＤＬ  ＢＷＰに対応するか否かを決定し、前記ＵＬ  ＢＷＰが前記ＤＬ  ＢＷＰに対応しないとき、前記ＤＬ  ＢＷＰを前記ＵＬ  ＢＷＰに対応する第１  ＤＬ  ＢＷＰに切り替える、請求項１７に記載の通信システム。
【請求項１９】
前記ユーザ装置が前記ＤＬ  ＢＷＰを前記第１  ＤＬ  ＢＷＰに切り替えた場合、前記ユーザ装置は、前記第１  ＤＬ  ＢＷＰに対応するプリアンブル送信のための少なくとも１つの時間周波数リソースから時間周波数リソースを選択し、前記第１  ＤＬ  ＢＷＰに対応するプリアンブル送信のための少なくとも１つのプリアンブルから第１プリアンブルを選択し、選択された前記時間周波数リソースで前記第１プリアンブルを送信する、請求項１７に記載の通信システム。
【国際調査報告】
2021503744.tif 000017
2021503744.tif 000018
2021503744.tif 000019
2021503744.tif 000020